(57)【要約】【課題】導光レンズ3の反射面3c1,3c2に入射する光が仮想平面S2となす角度よりも、反射面3c1,3c2からの反射光が仮想平面S2となす角度を小さくする。【解決手段】概略点状のＬＥＤ光源1と導光レンズ3とを具備し、導光レンズ3の入射部3aからの光を出射部3bの側に反射する反射部3cを間に配置し、出射部3bの反射面3b1にプリズムカット3b1aを形成し、明線が出射部3bの出射面3b2に形成される線発光ＬＥＤ照明装置100において、互いに垂直な仮想平面S1,S2の交線SL上またはその近傍にＬＥＤ光源1の発光中心1aを配置し、入射部3aからの光を反射する反射面3c1,3c2を反射部3cに形成し、仮想平面S2内における反射面3c1,3c2の断面形状を直線に設定し、それらの直線を、ＬＥＤ光源1の反対側に突出した概略円弧状の曲線abに沿ってスイープすることにより得られる曲面によって、反射面3c1,3c2を構成した。【選択図】図１
2012199035.tif 000002
【特許請求の範囲】
【請求項１】
概略点状に光って見えるＬＥＤ光源（１）と、ＬＥＤ光源（１）からの光を導光する導光レンズ（３）とを具備し、
ＬＥＤ光源（１）からの光が入射する入射部（３ａ）と、導光レンズ（３）によって導光された光が出射する出射部（３ｂ）とを導光レンズ（３）に形成し、
入射部（３ａ）からの光を出射部（３ｂ）の側に反射する反射部（３ｃ）を入射部（３ａ）と出射部（３ｂ）との間に配置し、
導光レンズ（３）を反射部（３ｃ）の位置で屈曲させ、
導光レンズ（３）の出射部（３ｂ）の表面のうち、ＬＥＤ光源（１）の反対側の表面に出射面（３ｂ２）を形成し、
導光レンズ（３）の出射部（３ｂ）の表面のうち、ＬＥＤ光源（１）の側の表面に反射面（３ｂ１）を形成し、
導光レンズ（３）の出射部（３ｂ）の反射面（３ｂ１）にプリズムカット（３ｂ１ａ）を形成し、
ＬＥＤ光源（１）の点灯時に、光って見える明線が導光レンズ（３）の出射部（３ｂ）の出射面（３ｂ２）に形成される線発光ＬＥＤ照明装置（１００）において、
第１仮想平面（Ｓ１）と、第１仮想平面（Ｓ１）に垂直な第２仮想平面（Ｓ２）との交線（ＳＬ）上またはその近傍にＬＥＤ光源（１）の発光中心（１ａ）を配置し、
ＬＥＤ光源（１）の発光中心（１ａ）から照射されて交線（ＳＬ）上を進む光、および、交線（ＳＬ）と角度をなしてＬＥＤ光源（１）の発光中心（１ａ）から照射された光の一部が入射する第１入射面（３ａ１）を導光レンズ（３）の入射部（３ａ）に形成し、
第１仮想平面（Ｓ１）内における導光レンズ（３）の入射部（３ａ）の第１入射面（３ａ１）の断面形状を、ＬＥＤ光源（１）の反対側に突出した概略円弧状の曲線（ａｂ）の少なくとも一部分に設定し、
第２仮想平面（Ｓ２）内における導光レンズ（３）の入射部（３ａ）の第１入射面（３ａ１）の断面形状を、ＬＥＤ光源（１）の側に突出した概略円弧状の曲線（ｃｄ）に設定し、
曲線（ｃｄ）を曲線（ａｂ）に沿ってスイープすることにより得られる曲面の少なくとも一部分によって、導光レンズ（３）の入射部（３ａ）の第１入射面（３ａ１）を構成し、
ＬＥＤ光源（１）の発光中心（１ａ）から照射され、次いで、導光レンズ（３）の入射部（３ａ）の第１入射面（３ａ１）を透過した光が、第１仮想平面（Ｓ１）に概略平行になるように、導光レンズ（３）の入射部（３ａ）の第１入射面（３ａ１）を形成し、
交線（ＳＬ）と角度をなしてＬＥＤ光源（１）の発光中心（１ａ）から照射された光の他の一部が入射する第２入射面（３ａ２）を導光レンズ（３）の入射部（３ａ）に形成し、
第２仮想平面（Ｓ２）内における導光レンズ（３）の入射部（３ａ）の第２入射面（３ａ２）の断面形状を、直線（ｄｅ）または曲線に設定し、
直線（ｄｅ）または曲線を曲線（ａｂ）に沿ってスイープすることにより得られる曲面の少なくとも一部分によって、導光レンズ（３）の入射部（３ａ）の第２入射面（３ａ２）を構成し、
導光レンズ（３）の入射部（３ａ）の第２入射面（３ａ２）を透過した光を反射する反射面（３ａ３）を導光レンズ（３）の入射部（３ａ）に形成し、
第２仮想平面（Ｓ２）内における導光レンズ（３）の入射部（３ａ）の反射面（３ａ３）の断面形状を、曲線（ｅｆ）または直線に設定し、
曲線（ｅｆ）または直線を曲線（ａｂ）に沿ってスイープすることにより得られる曲面の少なくとも一部分によって、導光レンズ（３）の入射部（３ａ）の反射面（３ａ３）を構成し、
ＬＥＤ光源（１）の発光中心（１ａ）から照射され、次いで、導光レンズ（３）の入射部（３ａ）の第２入射面（３ａ２）を透過し、次いで、反射面（３ａ３）によって反射された光が、第１仮想平面（Ｓ１）に概略平行になるように、導光レンズ（３）の入射部（３ａ）の第２入射面（３ａ２）および反射面（３ａ３）を形成し、
導光レンズ（３）の入射部（３ａ）の第１入射面（３ａ１）を透過した光を反射する第１反射面（３ｃ１）を、導光レンズ（３）の反射部（３ｃ）に形成し、
第２仮想平面（Ｓ２）内における導光レンズ（３）の反射部（３ｃ）の第１反射面（３ｃ１）の断面形状を、直線（ｇｈ）に設定し、
直線（ｇｈ）を曲線（ａｂ）に沿ってスイープすることにより得られる曲面によって、導光レンズ（３）の反射部（３ｃ）の第１反射面（３ｃ１）を構成し、
ＬＥＤ光源（１）の発光中心（１ａ）から照射され、次いで、導光レンズ（３）の入射部（３ａ）の第１入射面（３ａ１）を透過し、次いで、反射部（３ｃ）の第１反射面（３ｃ１）によって反射されて第２仮想平面（Ｓ２）内を進む光が、第１仮想平面（Ｓ１）と第１の角度をなす概略平行光になるように、導光レンズ（３）の反射部（３ｃ）の第１反射面（３ｃ１）を形成し、
導光レンズ（３）の反射部（３ｃ）の第１反射面（３ｃ１）の幅寸法（Ｗ３ｃ１）を、第１仮想平面（Ｓ１）に垂直な方向の導光レンズ（３）の入射部（３ａ）の第１入射面（３ａ１）の厚さ寸法（Ｔ３ａ１）よりも大きく設定し、
第１仮想平面（Ｓ１）に平行な平面（Ｓ３）であって、入射部（３ａ）の第１入射面（３ａ１）を透過した光を含む第３仮想平面（Ｓ３）内における導光レンズ（３）の反射部（３ｃ）の第１反射面（３ｃ１）の断面形状を、ＬＥＤ光源（１）の反対側に突出した概略円弧状の曲線（ｊｋ）に設定し、
導光レンズ（３）の入射部（３ａ）の反射面（３ａ３）からの反射光を反射する第２反射面（３ｃ２）を、導光レンズ（３）の反射部（３ｃ）に形成し、
第２仮想平面（Ｓ２）内における導光レンズ（３）の反射部（３ｃ）の第２反射面（３ｃ２）の断面形状を、直線（ｈｉ）に設定し、
直線（ｈｉ）を曲線（ａｂ）に沿ってスイープすることにより得られる曲面によって、導光レンズ（３）の反射部（３ｃ）の第２反射面（３ｃ２）を構成し、
ＬＥＤ光源（１）の発光中心（１ａ）から照射され、次いで、導光レンズ（３）の入射部（３ａ）の第２入射面（３ａ２）を透過し、次いで、入射部（３ａ）の反射面（３ａ３）によって反射され、次いで、反射部（３ｃ）の第２反射面（３ｃ２）によって反射されて第２仮想平面（Ｓ２)内を進む光が、第１仮想平面（Ｓ１）と第１の角度より小さい第２の角度をなす概略平行光になるように、導光レンズ（３）の反射部（３ｃ）の第２反射面（３ｃ２）を形成し、
導光レンズ（３）の反射部（３ｃ）の第２反射面（３ｃ２）の幅寸法（Ｗ３ｃ２）を、第１仮想平面（Ｓ１）に垂直な方向の導光レンズ（３）の入射部（３ａ）の反射面（３ａ３）の厚さ寸法（Ｔ３ａ３）よりも大きく設定し、
第１仮想平面（Ｓ１）に平行な平面（Ｓ４）であって、入射部（３ａ）の反射面（３ａ３）からの反射光を含む第４仮想平面（Ｓ４）内における導光レンズ（３）の反射部（３ｃ）の第２反射面（３ｃ２）の断面形状を、ＬＥＤ光源（１）の反対側に突出した概略円弧状の曲線（ｍｎ）に設定し、
第２仮想平面（Ｓ２）内における導光レンズ（３）の出射部（３ｂ）の反射面（３ｂ１）の断面形状を、ＬＥＤ光源（１）の反対側に突出した概略円弧状の曲線（ｐｑ）に設定し、
第２仮想平面（Ｓ２）内における導光レンズ（３）の出射部（３ｂ）の出射面（３ｂ２）の断面形状を、ＬＥＤ光源（１）の反対側に突出した概略円弧状の曲線（ｇｒ）に設定したことを特徴とする線発光ＬＥＤ照明装置（１００）。
【請求項２】
第１仮想平面（Ｓ１）に平行な第５仮想平面（Ｓ５）内における導光レンズ（３）の出射部（３ｂ）の反射面（３ｂ１）の断面形状を、ＬＥＤ光源（１）の反対側に突出した概略円弧状の曲線（ｔｕ）に設定し、
第５仮想平面（Ｓ５）内における導光レンズ（３）の出射部（３ｂ）の出射面（３ｂ２）の断面形状を、ＬＥＤ光源（１）の反対側に突出した概略円弧状の曲線（ｖｗ）に設定したことを特徴とする請求項１に記載の線発光ＬＥＤ照明装置（１００）。
【請求項３】
導光レンズ（３）の反射部（３ｃ）の第２反射面（３ｃ２）のＬＥＤ光源（１）の側の端部（３ｃ２ａ）を、導光レンズ（３）の出射部（３ｂ）の反射面（３ｂ１）よりもＬＥＤ光源（１）の近くに配置したことを特徴とする請求項１又は２に記載の線発光ＬＥＤ照明装置（１００）。
【発明の詳細な説明】
【技術分野】
【０００１】
本発明は、概略点状のＬＥＤ光源と導光レンズとが設けられ、導光レンズの入射部からの光を出射部の側に反射する反射部が入射部と出射部との間に配置され、出射部の反射面にプリズムカットが形成され、ＬＥＤ光源の点灯時に光って見える明線が出射部の出射面に形成される線発光ＬＥＤ照明装置に関する。
【０００２】
特に、本発明は、導光レンズの反射部の反射面に入射する光が、導光レンズの中心面に相当する仮想平面となす角度よりも、導光レンズの反射部の反射面からの反射光がその仮想平面となす角度を小さくすることができる線発光ＬＥＤ照明装置に関する。
【背景技術】
【０００３】
従来から、概略点状のＬＥＤ光源と導光レンズとが設けられ、導光レンズの入射部からの光を出射部の側に反射する反射部が入射部と出射部との間に配置され、出射部の反射面にプリズムカットが形成され、ＬＥＤ光源の点灯時に光って見える明線が出射部の出射面に形成される線発光ＬＥＤ照明装置が知られている。この種の線発光ＬＥＤ照明装置の例としては、例えば特許文献１（特開２００３−２４０６１２号公報）の図２に記載されたものがある。特許文献１の図２に記載された線発光ＬＥＤ照明装置では、導光レンズの反射部および出射部が、車載メーター針の発光部によって構成され、導光レンズの入射部が、車載メーター針の回転軸によって構成されている。
【先行技術文献】
【特許文献】
【０００４】
【特許文献１】特開２００３−２４０６１２号公報
【発明の概要】
【発明が解決しようとする課題】
【０００５】
ところで、特許文献１に記載された線発光ＬＥＤ照明装置では、導光レンズの反射部の反射面に入射する光のうち、導光レンズの中心面に相当する仮想平面内を進む光のみが、明線の形成に用いられている。つまり、特許文献１に記載された線発光ＬＥＤ照明装置では、導光レンズの反射部の反射面に入射する光のうち、導光レンズの中心面に相当する仮想平面と角度をなす光が、明線の形成に用いられていない。
【０００６】
一方、導光レンズの反射部の反射面に入射する光のうち、導光レンズの中心面に相当する仮想平面と角度をなす光を明線の形成に用いる場合には、導光レンズの反射部の反射面からの反射光にも、その仮想平面と角度をなす光が含まれる。従って、導光レンズの中心面に相当する仮想平面と大きい角度をなす光が、導光レンズの反射部の反射面からの反射光に含まれる場合には、導光レンズの出射部を概略扇形形状に形成する必要が生じてしまう。
【０００７】
前記問題点に鑑み、本発明は、導光レンズの反射部の反射面に入射する光が、導光レンズの中心面に相当する仮想平面となす角度よりも、導光レンズの反射部の反射面からの反射光がその仮想平面となす角度を小さくすることができる線発光ＬＥＤ照明装置を提供することを目的とする。
【課題を解決するための手段】
【０００８】
請求項１に記載の発明によれば、概略点状に光って見えるＬＥＤ光源（１）と、ＬＥＤ光源（１）からの光を導光する導光レンズ（３）とを具備し、
ＬＥＤ光源（１）からの光が入射する入射部（３ａ）と、導光レンズ（３）によって導光された光が出射する出射部（３ｂ）とを導光レンズ（３）に形成し、
入射部（３ａ）からの光を出射部（３ｂ）の側に反射する反射部（３ｃ）を入射部（３ａ）と出射部（３ｂ）との間に配置し、
導光レンズ（３）を反射部（３ｃ）の位置で屈曲させ、
導光レンズ（３）の出射部（３ｂ）の表面のうち、ＬＥＤ光源（１）の反対側の表面に出射面（３ｂ２）を形成し、
導光レンズ（３）の出射部（３ｂ）の表面のうち、ＬＥＤ光源（１）の側の表面に反射面（３ｂ１）を形成し、
導光レンズ（３）の出射部（３ｂ）の反射面（３ｂ１）にプリズムカット（３ｂ１ａ）を形成し、
ＬＥＤ光源（１）の点灯時に、光って見える明線が導光レンズ（３）の出射部（３ｂ）の出射面（３ｂ２）に形成される線発光ＬＥＤ照明装置（１００）において、
第１仮想平面（Ｓ１）と、第１仮想平面（Ｓ１）に垂直な第２仮想平面（Ｓ２）との交線（ＳＬ）上またはその近傍にＬＥＤ光源（１）の発光中心（１ａ）を配置し、
ＬＥＤ光源（１）の発光中心（１ａ）から照射されて交線（ＳＬ）上を進む光、および、交線（ＳＬ）と角度をなしてＬＥＤ光源（１）の発光中心（１ａ）から照射された光の一部が入射する第１入射面（３ａ１）を導光レンズ（３）の入射部（３ａ）に形成し、
第１仮想平面（Ｓ１）内における導光レンズ（３）の入射部（３ａ）の第１入射面（３ａ１）の断面形状を、ＬＥＤ光源（１）の反対側に突出した概略円弧状の曲線（ａｂ）の少なくとも一部分に設定し、
第２仮想平面（Ｓ２）内における導光レンズ（３）の入射部（３ａ）の第１入射面（３ａ１）の断面形状を、ＬＥＤ光源（１）の側に突出した概略円弧状の曲線（ｃｄ）に設定し、
曲線（ｃｄ）を曲線（ａｂ）に沿ってスイープすることにより得られる曲面の少なくとも一部分によって、導光レンズ（３）の入射部（３ａ）の第１入射面（３ａ１）を構成し、
ＬＥＤ光源（１）の発光中心（１ａ）から照射され、次いで、導光レンズ（３）の入射部（３ａ）の第１入射面（３ａ１）を透過した光が、第１仮想平面（Ｓ１）に概略平行になるように、導光レンズ（３）の入射部（３ａ）の第１入射面（３ａ１）を形成し、
交線（ＳＬ）と角度をなしてＬＥＤ光源（１）の発光中心（１ａ）から照射された光の他の一部が入射する第２入射面（３ａ２）を導光レンズ（３）の入射部（３ａ）に形成し、
第２仮想平面（Ｓ２）内における導光レンズ（３）の入射部（３ａ）の第２入射面（３ａ２）の断面形状を、直線（ｄｅ）または曲線に設定し、
直線（ｄｅ）または曲線を曲線（ａｂ）に沿ってスイープすることにより得られる曲面の少なくとも一部分によって、導光レンズ（３）の入射部（３ａ）の第２入射面（３ａ２）を構成し、
導光レンズ（３）の入射部（３ａ）の第２入射面（３ａ２）を透過した光を反射する反射面（３ａ３）を導光レンズ（３）の入射部（３ａ）に形成し、
第２仮想平面（Ｓ２）内における導光レンズ（３）の入射部（３ａ）の反射面（３ａ３）の断面形状を、曲線（ｅｆ）または直線に設定し、
曲線（ｅｆ）または直線を曲線（ａｂ）に沿ってスイープすることにより得られる曲面の少なくとも一部分によって、導光レンズ（３）の入射部（３ａ）の反射面（３ａ３）を構成し、
ＬＥＤ光源（１）の発光中心（１ａ）から照射され、次いで、導光レンズ（３）の入射部（３ａ）の第２入射面（３ａ２）を透過し、次いで、反射面（３ａ３）によって反射された光が、第１仮想平面（Ｓ１）に概略平行になるように、導光レンズ（３）の入射部（３ａ）の第２入射面（３ａ２）および反射面（３ａ３）を形成し、
導光レンズ（３）の入射部（３ａ）の第１入射面（３ａ１）を透過した光を反射する第１反射面（３ｃ１）を、導光レンズ（３）の反射部（３ｃ）に形成し、
第２仮想平面（Ｓ２）内における導光レンズ（３）の反射部（３ｃ）の第１反射面（３ｃ１）の断面形状を、直線（ｇｈ）に設定し、
直線（ｇｈ）を曲線（ａｂ）に沿ってスイープすることにより得られる曲面によって、導光レンズ（３）の反射部（３ｃ）の第１反射面（３ｃ１）を構成し、
ＬＥＤ光源（１）の発光中心（１ａ）から照射され、次いで、導光レンズ（３）の入射部（３ａ）の第１入射面（３ａ１）を透過し、次いで、反射部（３ｃ）の第１反射面（３ｃ１）によって反射されて第２仮想平面（Ｓ２）内を進む光が、第１仮想平面（Ｓ１）と第１の角度をなす概略平行光になるように、導光レンズ（３）の反射部（３ｃ）の第１反射面（３ｃ１）を形成し、
導光レンズ（３）の反射部（３ｃ）の第１反射面（３ｃ１）の幅寸法（Ｗ３ｃ１）を、第１仮想平面（Ｓ１）に垂直な方向の導光レンズ（３）の入射部（３ａ）の第１入射面（３ａ１）の厚さ寸法（Ｔ３ａ１）よりも大きく設定し、
第１仮想平面（Ｓ１）に平行な平面（Ｓ３）であって、入射部（３ａ）の第１入射面（３ａ１）を透過した光を含む第３仮想平面（Ｓ３）内における導光レンズ（３）の反射部（３ｃ）の第１反射面（３ｃ１）の断面形状を、ＬＥＤ光源（１）の反対側に突出した概略円弧状の曲線（ｊｋ）に設定し、
導光レンズ（３）の入射部（３ａ）の反射面（３ａ３）からの反射光を反射する第２反射面（３ｃ２）を、導光レンズ（３）の反射部（３ｃ）に形成し、
第２仮想平面（Ｓ２）内における導光レンズ（３）の反射部（３ｃ）の第２反射面（３ｃ２）の断面形状を、直線（ｈｉ）に設定し、
直線（ｈｉ）を曲線（ａｂ）に沿ってスイープすることにより得られる曲面によって、導光レンズ（３）の反射部（３ｃ）の第２反射面（３ｃ２）を構成し、
ＬＥＤ光源（１）の発光中心（１ａ）から照射され、次いで、導光レンズ（３）の入射部（３ａ）の第２入射面（３ａ２）を透過し、次いで、入射部（３ａ）の反射面（３ａ３）によって反射され、次いで、反射部（３ｃ）の第２反射面（３ｃ２）によって反射されて第２仮想平面（Ｓ２)内を進む光が、第１仮想平面（Ｓ１）と第１の角度より小さい第２の角度をなす概略平行光になるように、導光レンズ（３）の反射部（３ｃ）の第２反射面（３ｃ２）を形成し、
導光レンズ（３）の反射部（３ｃ）の第２反射面（３ｃ２）の幅寸法（Ｗ３ｃ２）を、第１仮想平面（Ｓ１）に垂直な方向の導光レンズ（３）の入射部（３ａ）の反射面（３ａ３）の厚さ寸法（Ｔ３ａ３）よりも大きく設定し、
第１仮想平面（Ｓ１）に平行な平面（Ｓ４）であって、入射部（３ａ）の反射面（３ａ３）からの反射光を含む第４仮想平面（Ｓ４）内における導光レンズ（３）の反射部（３ｃ）の第２反射面（３ｃ２）の断面形状を、ＬＥＤ光源（１）の反対側に突出した概略円弧状の曲線（ｍｎ）に設定し、
第２仮想平面（Ｓ２）内における導光レンズ（３）の出射部（３ｂ）の反射面（３ｂ１）の断面形状を、ＬＥＤ光源（１）の反対側に突出した概略円弧状の曲線（ｐｑ）に設定し、
第２仮想平面（Ｓ２）内における導光レンズ（３）の出射部（３ｂ）の出射面（３ｂ２）の断面形状を、ＬＥＤ光源（１）の反対側に突出した概略円弧状の曲線（ｇｒ）に設定したことを特徴とする線発光ＬＥＤ照明装置（１００）が提供される。
【０００９】
請求項２に記載の発明によれば、第１仮想平面（Ｓ１）に平行な第５仮想平面（Ｓ５）内における導光レンズ（３）の出射部（３ｂ）の反射面（３ｂ１）の断面形状を、ＬＥＤ光源（１）の反対側に突出した概略円弧状の曲線（ｔｕ）に設定し、
第５仮想平面（Ｓ５）内における導光レンズ（３）の出射部（３ｂ）の出射面（３ｂ２）の断面形状を、ＬＥＤ光源（１）の反対側に突出した概略円弧状の曲線（ｖｗ）に設定したことを特徴とする請求項１に記載の線発光ＬＥＤ照明装置（１００）が提供される。
【００１０】
請求項３に記載の発明によれば、導光レンズ（３）の反射部（３ｃ）の第２反射面（３ｃ２）のＬＥＤ光源（１）の側の端部（３ｃ２ａ）を、導光レンズ（３）の出射部（３ｂ）の反射面（３ｂ１）よりもＬＥＤ光源（１）の近くに配置したことを特徴とする請求項１又は２に記載の線発光ＬＥＤ照明装置（１００）が提供される。
【発明の効果】
【００１１】
請求項１に記載の線発光ＬＥＤ照明装置（１００）では、概略点状に光って見えるＬＥＤ光源（１）と、ＬＥＤ光源（１）からの光を導光する導光レンズ（３）とが設けられている。また、ＬＥＤ光源（１）からの光が入射する入射部（３ａ）と、導光レンズ（３）によって導光された光が出射する出射部（３ｂ）とが、導光レンズ（３）に形成されている。更に、入射部（３ａ）からの光を出射部（３ｂ）の側に反射する反射部（３ｃ）が、入射部（３ａ）と出射部（３ｂ）との間に配置されている。
【００１２】
また、請求項１に記載の線発光ＬＥＤ照明装置（１００）では、導光レンズ（３）が反射部（３ｃ）の位置で屈曲せしめられている。更に、導光レンズ（３）の出射部（３ｂ）の表面のうち、ＬＥＤ光源（１）の反対側の表面に出射面（３ｂ２）が形成されている。また、導光レンズ（３）の出射部（３ｂ）の表面のうち、ＬＥＤ光源（１）の側の表面に反射面（３ｂ１）が形成されている。更に、導光レンズ（３）の出射部（３ｂ）の反射面（３ｂ１）にプリズムカット（３ｂ１ａ）が形成されている。
【００１３】
その結果、請求項１に記載の線発光ＬＥＤ照明装置（１００）では、ＬＥＤ光源（１）の点灯時に、光って見える明線が導光レンズ（３）の出射部（３ｂ）の出射面（３ｂ２）に形成される。
【００１４】
詳細には、請求項１に記載の線発光ＬＥＤ照明装置（１００）では、第１仮想平面（Ｓ１）と、第１仮想平面（Ｓ１）に垂直な第２仮想平面（Ｓ２）との交線（ＳＬ）上またはその近傍にＬＥＤ光源（１）の発光中心（１ａ）が配置されている。また、ＬＥＤ光源（１）の発光中心（１ａ）から照射されて交線（ＳＬ）上を進む光、および、交線（ＳＬ）と角度をなしてＬＥＤ光源（１）の発光中心（１ａ）から照射された光の一部が入射する第１入射面（３ａ１）が、導光レンズ（３）の入射部（３ａ）に形成されている。
【００１５】
更に、請求項１に記載の線発光ＬＥＤ照明装置（１００）では、第１仮想平面（Ｓ１）内における導光レンズ（３）の入射部（３ａ）の第１入射面（３ａ１）の断面形状が、ＬＥＤ光源（１）の反対側に突出した概略円弧状の曲線（ａｂ）の少なくとも一部分に設定されている。また、第２仮想平面（Ｓ２）内における導光レンズ（３）の入射部（３ａ）の第１入射面（３ａ１）の断面形状が、ＬＥＤ光源（１）の側に突出した概略円弧状の曲線（ｃｄ）に設定されている。
【００１６】
また、請求項１に記載の線発光ＬＥＤ照明装置（１００）では、曲線（ｃｄ）を曲線（ａｂ）に沿ってスイープすることにより得られる曲面の少なくとも一部分によって、導光レンズ（３）の入射部（３ａ）の第１入射面（３ａ１）が構成されている。更に、ＬＥＤ光源（１）の発光中心（１ａ）から照射され、次いで、導光レンズ（３）の入射部（３ａ）の第１入射面（３ａ１）を透過した光が、第１仮想平面（Ｓ１）に概略平行になるように、導光レンズ（３）の入射部（３ａ）の第１入射面（３ａ１）が形成されている。
【００１７】
換言すれば、請求項１に記載の線発光ＬＥＤ照明装置（１００）では、ＬＥＤ光源（１）の発光中心（１ａ）から照射され、次いで、導光レンズ（３）の入射部（３ａ）の第１入射面（３ａ１）を透過した光には、第２仮想平面（Ｓ２）と角度をなす光も含まれる。
【００１８】
更に、請求項１に記載の線発光ＬＥＤ照明装置（１００）では、交線（ＳＬ）と角度をなしてＬＥＤ光源（１）の発光中心（１ａ）から照射された光の他の一部が入射する第２入射面（３ａ２）が、導光レンズ（３）の入射部（３ａ）に形成されている。また、第２仮想平面（Ｓ２）内における導光レンズ（３）の入射部（３ａ）の第２入射面（３ａ２）の断面形状が、直線（ｄｅ）または曲線に設定されている。更に、直線（ｄｅ）または曲線を曲線（ａｂ）に沿ってスイープすることにより得られる曲面の少なくとも一部分によって、導光レンズ（３）の入射部（３ａ）の第２入射面（３ａ２）が構成されている。
【００１９】
また、請求項１に記載の線発光ＬＥＤ照明装置（１００）では、導光レンズ（３）の入射部（３ａ）の第２入射面（３ａ２）を透過した光を反射する反射面（３ａ３）が、導光レンズ（３）の入射部（３ａ）に形成されている。更に、第２仮想平面（Ｓ２）内における導光レンズ（３）の入射部（３ａ）の反射面（３ａ３）の断面形状が、曲線（ｅｆ）または直線に設定されている。また、曲線（ｅｆ）または直線を曲線（ａｂ）に沿ってスイープすることにより得られる曲面の少なくとも一部分によって、導光レンズ（３）の入射部（３ａ）の反射面（３ａ３）が構成されている。
【００２０】
更に、請求項１に記載の線発光ＬＥＤ照明装置（１００）では、ＬＥＤ光源（１）の発光中心（１ａ）から照射され、次いで、導光レンズ（３）の入射部（３ａ）の第２入射面（３ａ２）を透過し、次いで、反射面（３ａ３）によって反射された光が、第１仮想平面（Ｓ１）に概略平行になるように、導光レンズ（３）の入射部（３ａ）の第２入射面（３ａ２）および反射面（３ａ３）が形成されている。
【００２１】
換言すれば、請求項１に記載の線発光ＬＥＤ照明装置（１００）では、ＬＥＤ光源（１）の発光中心（１ａ）から照射され、次いで、導光レンズ（３）の入射部（３ａ）の第２入射面（３ａ２）を透過し、次いで、反射面（３ａ３）によって反射された光には、第２仮想平面（Ｓ２）と角度をなす光も含まれる。
【００２２】
また、請求項１に記載の線発光ＬＥＤ照明装置（１００）では、導光レンズ（３）の入射部（３ａ）の第１入射面（３ａ１）を透過した光を反射する第１反射面（３ｃ１）が、導光レンズ（３）の反射部（３ｃ）に形成されている。更に、第２仮想平面（Ｓ２）内における導光レンズ（３）の反射部（３ｃ）の第１反射面（３ｃ１）の断面形状が、直線（ｇｈ）に設定されている。また、直線（ｇｈ）を曲線（ａｂ）に沿ってスイープすることにより得られる曲面によって、導光レンズ（３）の反射部（３ｃ）の第１反射面（３ｃ１）が構成されている。
【００２３】
更に、請求項１に記載の線発光ＬＥＤ照明装置（１００）では、ＬＥＤ光源（１）の発光中心（１ａ）から照射され、次いで、導光レンズ（３）の入射部（３ａ）の第１入射面（３ａ１）を透過し、次いで、反射部（３ｃ）の第１反射面（３ｃ１）によって反射されて第２仮想平面（Ｓ２）内を進む光が、第１仮想平面（Ｓ１）と第１の角度をなす概略平行光になるように、導光レンズ（３）の反射部（３ｃ）の第１反射面（３ｃ１）が形成されている。
【００２４】
また、請求項１に記載の線発光ＬＥＤ照明装置（１００）では、導光レンズ（３）の反射部（３ｃ）の第１反射面（３ｃ１）の幅寸法（Ｗ３ｃ１）が、第１仮想平面（Ｓ１）に垂直な方向の導光レンズ（３）の入射部（３ａ）の第１入射面（３ａ１）の厚さ寸法（Ｔ３ａ１）よりも大きく設定されている。
【００２５】
そのため、請求項１に記載の線発光ＬＥＤ照明装置（１００）によれば、第２仮想平面（Ｓ２）と例えば１０°のような大きい角度をなしてＬＥＤ光源（１）の発光中心（１ａ）から照射され、次いで、導光レンズ（３）の入射部（３ａ）の第１入射面（３ａ１）を透過して第１仮想平面（Ｓ１)内を進む光が、反射を経ることなく、導光レンズ（３）の反射部（３ｃ）の第１反射面（３ｃ１）に入射することができる。
【００２６】
更に、請求項１に記載の線発光ＬＥＤ照明装置（１００）では、第１仮想平面（Ｓ１）に平行な平面（Ｓ３）であって、入射部（３ａ）の第１入射面（３ａ１）を透過した光を含む第３仮想平面（Ｓ３）内における導光レンズ（３）の反射部（３ｃ）の第１反射面（３ｃ１）の断面形状が、ＬＥＤ光源（１）の反対側に突出した概略円弧状の曲線（ｊｋ）に設定されている。
【００２７】
そのため、請求項１に記載の線発光ＬＥＤ照明装置（１００）によれば、導光レンズ（３）の反射部（３ｃ）の第１反射面（３ｃ１）に入射する光が第２仮想平面（Ｓ２)となす角度よりも、第１反射面（３ｃ１）からの反射光が第２仮想平面（Ｓ２)となす角度を小さくすることができる。
【００２８】
その結果、請求項１に記載の線発光ＬＥＤ照明装置（１００）によれば、交線（ＳＬ）を中心とする概略扇形形状に導光レンズ（３）の出射部（３ｂ）を形成する必要なく、導光レンズ（３）の出射部（３ｂ）の先端部（３ｂ−１）まで延びている明線を、導光レンズ（３）の出射部（３ｂ）の出射面（３ｂ２）のうち、第２仮想平面（Ｓ２）から外れた位置に形成することができる。
【００２９】
換言すれば、請求項１に記載の線発光ＬＥＤ照明装置（１００）によれば、観察者の視点が第２仮想平面（Ｓ２）からずれた場合であっても、導光レンズ（３）の出射部（３ｂ）の先端部（３ｂ−１）まで延びている明線を観察者に視認させることができる。
【００３０】
また、請求項１に記載の線発光ＬＥＤ照明装置（１００）では、導光レンズ（３）の入射部（３ａ）の反射面（３ａ３）からの反射光を反射する第２反射面（３ｃ２）が、導光レンズ（３）の反射部（３ｃ）に形成されている。更に、第２仮想平面（Ｓ２）内における導光レンズ（３）の反射部（３ｃ）の第２反射面（３ｃ２）の断面形状が、直線（ｈｉ）に設定されている。また、直線（ｈｉ）を曲線（ａｂ）に沿ってスイープすることにより得られる曲面によって、導光レンズ（３）の反射部（３ｃ）の第２反射面（３ｃ２）が構成されている。
【００３１】
更に、請求項１に記載の線発光ＬＥＤ照明装置（１００）では、ＬＥＤ光源（１）の発光中心（１ａ）から照射され、次いで、導光レンズ（３）の入射部（３ａ）の第２入射面（３ａ２）を透過し、次いで、入射部（３ａ）の反射面（３ａ３）によって反射され、次いで、反射部（３ｃ）の第２反射面（３ｃ２）によって反射されて第２仮想平面（Ｓ２)内を進む光が、第１仮想平面（Ｓ１）と第１の角度より小さい第２の角度をなす概略平行光になるように、導光レンズ（３）の反射部（３ｃ）の第２反射面（３ｃ２）が形成されている。
【００３２】
また、請求項１に記載の線発光ＬＥＤ照明装置（１００）では、導光レンズ（３）の反射部（３ｃ）の第２反射面（３ｃ２）の幅寸法（Ｗ３ｃ２）が、第１仮想平面（Ｓ１）に垂直な方向の導光レンズ（３）の入射部（３ａ）の反射面（３ａ３）の厚さ寸法（Ｔ３ａ３）よりも大きく設定されている。
【００３３】
そのため、請求項１に記載の線発光ＬＥＤ照明装置（１００）によれば、第２仮想平面（Ｓ２）と例えば１０°のような大きい角度をなしてＬＥＤ光源（１）の発光中心（１ａ）から照射され、次いで、導光レンズ（３）の入射部（３ａ）の第２入射面（３ａ２）を透過し、次いで、入射部（３ａ）の反射面（３ａ３）によって反射されて第１仮想平面（Ｓ１)に平行な第４仮想平面（Ｓ４）内を進む光が、反射を経ることなく、導光レンズ（３）の反射部（３ｃ）の第２反射面（３ｃ１）に入射することができる。
【００３４】
更に、請求項１に記載の線発光ＬＥＤ照明装置（１００）では、第１仮想平面（Ｓ１）に平行な平面（Ｓ４）であって、入射部（３ａ）の反射面（３ａ３）からの反射光を含む第４仮想平面（Ｓ４）内における導光レンズ（３）の反射部（３ｃ）の第２反射面（３ｃ２）の断面形状が、ＬＥＤ光源（１）の反対側に突出した概略円弧状の曲線（ｍｎ）に設定されている。
【００３５】
そのため、請求項１に記載の線発光ＬＥＤ照明装置（１００）によれば、導光レンズ（３）の反射部（３ｃ）の第２反射面（３ｃ２）に入射する光が第２仮想平面（Ｓ２)となす角度よりも、第２反射面（３ｃ２）からの反射光が第２仮想平面（Ｓ２)となす角度を小さくすることができる。
【００３６】
更に、請求項１に記載の線発光ＬＥＤ照明装置（１００）によれば、導光レンズ（３）の反射部（３ｃ）に第２反射面（３ｃ２）が形成されていない場合よりも、ＬＥＤ光源（１）の点灯時に導光レンズ（３）の出射部（３ｂ）の出射面（３ｂ２）に形成される明線を明瞭にすることができる。
【００３７】
また、請求項１に記載の線発光ＬＥＤ照明装置（１００）では、第２仮想平面（Ｓ２）内における導光レンズ（３）の出射部（３ｂ）の反射面（３ｂ１）の断面形状が、ＬＥＤ光源（１）の反対側に突出した概略円弧状の曲線（ｐｑ）に設定されている。更に、第２仮想平面（Ｓ２）内における導光レンズ（３）の出射部（３ｂ）の出射面（３ｂ２）の断面形状が、ＬＥＤ光源（１）の反対側に突出した概略円弧状の曲線（ｇｒ）に設定されている。
【００３８】
そのため、請求項１に記載の線発光ＬＥＤ照明装置（１００）によれば、第２仮想平面（Ｓ２）内における導光レンズ（３）の出射部（３ｂ）の反射面（３ｂ１）および出射面（３ｂ２）の断面形状が直線に設定されている場合よりも、ＬＥＤ光源（１）の点灯時に導光レンズ（３）の出射部（３ｂ）の出射面（３ｂ２）に形成される明線の少なくとも一部を視認可能な視野角を大きくすることができる。
【００３９】
請求項２に記載の線発光ＬＥＤ照明装置（１００）では、第１仮想平面（Ｓ１）に平行な第５仮想平面（Ｓ５）内における導光レンズ（３）の出射部（３ｂ）の反射面（３ｂ１）の断面形状が、ＬＥＤ光源（１）の反対側に突出した概略円弧状の曲線（ｔｕ）に設定されている。更に、第５仮想平面（Ｓ５）内における導光レンズ（３）の出射部（３ｂ）の出射面（３ｂ２）の断面形状が、ＬＥＤ光源（１）の反対側に突出した概略円弧状の曲線（ｖｗ）に設定されている。
【００４０】
そのため、請求項２に記載の線発光ＬＥＤ照明装置（１００）によれば、第５仮想平面（Ｓ５）内における導光レンズ（３）の出射部（３ｂ）の反射面（３ｂ１）および出射面（３ｂ２）の断面形状が互いに平行な直線に設定されている場合よりも、ＬＥＤ光源（１）の点灯時に導光レンズ（３）の出射部（３ｂ）の出射面（３ｂ２）の第２仮想平面（Ｓ２）から外れた位置に形成される明線の少なくとも一部を視認可能な視野角を大きくすることができる。
【００４１】
請求項３に記載の線発光ＬＥＤ照明装置（１００）では、導光レンズ（３）の反射部（３ｃ）の第２反射面（３ｃ２）のＬＥＤ光源（１）の側の端部（３ｃ２ａ）が、導光レンズ（３）の出射部（３ｂ）の反射面（３ｂ１）よりもＬＥＤ光源（１）の近くに配置されている。
【００４２】
そのため、請求項３に記載の線発光ＬＥＤ照明装置（１００）によれば、特許文献１の図２に記載された線発光ＬＥＤ照明装置よりも、導光レンズ（３）の出射部（３ｂ）の基端部（３ｂ−２）の肉厚を小さくすることができる。
【図面の簡単な説明】
【００４３】
【図１】第１の実施形態の線発光ＬＥＤ照明装置１００を示した図である。
【図２】第１の実施形態の線発光ＬＥＤ照明装置１００の一部を構成する導光レンズ３の部品図である。
【図３】第１の実施形態の線発光ＬＥＤ照明装置１００の一部を構成する導光レンズ３の部品図などである。
【図４】第１の実施形態の線発光ＬＥＤ照明装置１００の一部を構成する導光レンズ３の部品図である。
【図５】ＬＥＤ光源１の発光中心１ａから照射されて図４（Ａ）に示す水平断面（仮想平面Ｓ２）内を進む光の光路を示した図である。
【図６】図５（Ａ）のＤ−Ｄ線に沿った概略的な断面図などである。
【図７】観察者の視点ｅｙが仮想平面Ｓ２上に配置された場合における第１の実施形態の線発光ＬＥＤ照明装置１００の導光レンズ３と観察者の視点ｅｙとの関係などを示した図である。
【図８】第１の実施形態の線発光ＬＥＤ照明装置１００の有利な効果を説明するための図である。
【図９】ＬＥＤ光源１の発光中心１ａから仮想平面Ｓ２と角度をなして照射された光Ｌ２ａを説明するための図である。
【図１０】ＬＥＤ光源１の発光中心１ａから仮想平面Ｓ２と角度をなして照射された光Ｌ２ｂを説明するための図である。
【図１１】ＬＥＤ光源１の発光中心１ａから仮想平面Ｓ２と角度をなして照射された光Ｌ２ｄを説明するための図である。
【図１２】仮想平面Ｓ２から外れた位置に配置された観察者の視点ｅｙによって視認される導光レンズ３の出射部３ｂの出射面３ｂ２の明線ＢＬ２を示した図２（Ｂ）と同様の導光レンズ３の正面図である。
【図１３】直線ｇｈを仮想平面Ｓ２に垂直な直線ｊｋに沿ってスイープすることにより得られる平面によって導光レンズ３の反射部３ｃの反射面３ｃ１が構成されている比較例の線発光ＬＥＤ照明装置１００ｒｅｆを説明するための図である。
【図１４】第１の実施形態の線発光ＬＥＤ照明装置１００の他の有利な効果を説明するための図である。
【図１５】第１の実施形態の線発光ＬＥＤ照明装置１００の更に他の有利な効果を説明するための図である。
【発明を実施するための形態】
【００４４】
以下、本発明の線発光ＬＥＤ照明装置の第１の実施形態について説明する。図１は第１の実施形態の線発光ＬＥＤ照明装置１００を示した図である。詳細には、図１は第１の実施形態の線発光ＬＥＤ照明装置１００の概略的な水平断面図である。図２〜図４は第１の実施形態の線発光ＬＥＤ照明装置１００の一部を構成する導光レンズ３の部品図である。詳細には、図２（Ａ）は導光レンズ３の平面図、図２（Ｂ）は導光レンズ３の正面図、図２（Ｃ）は導光レンズ３の底面図、図２（Ｄ）は図２（Ｂ）のＡ−Ａ線に沿った概略的な水平断面図である。図３（Ａ）は導光レンズ３の左側面図、図３（Ｂ）は導光レンズ３の右側面図、図３（Ｃ）は図２（Ｄ）のＢ−Ｂ線に沿った概略的な断面図、図３（Ｄ）は図２（Ｄ）のＣ−Ｃ線に沿った概略的な断面図、図３（Ｅ）は左前側かつ下側から見た導光レンズ３の斜視図である。図３（Ｆ）および図３（Ｇ）は第１の実施形態の線発光ＬＥＤ照明装置１００の変形例の導光レンズ３の図３（Ｃ）と同様の断面図である。図４（Ａ）は図２（Ｄ）に示す導光レンズ３の水平断面の一部を拡大して示した図、図４（Ｂ）は図４（Ａ）に示す導光レンズ３の反射面３ｂ１の水平断面の一部を更に拡大して示した図である。図５はＬＥＤ光源１の発光中心１ａから照射されて図４（Ａ）に示す水平断面（仮想平面Ｓ２）内を進む光Ｌ１ａ，Ｌ１ｂ，Ｌ１ｃ，Ｌ１ｄ，Ｌ１ｅの光路を示した図である。
【００４５】
図６（Ａ）は図５（Ａ）のＤ−Ｄ線に沿った概略的な断面図、図６（Ｂ）は図５（Ｂ）のＥ−Ｅ線に沿った概略的な断面図である。図７は観察者の視点ｅｙが仮想平面Ｓ２上に配置された場合における第１の実施形態の線発光ＬＥＤ照明装置１００の導光レンズ３と観察者の視点ｅｙとの関係などを示した図である。詳細には、図７（Ａ）は図３（Ａ）と同様の導光レンズ３の左側面図、図７（Ｂ）は図３（Ｂ）と同様の導光レンズ３の右側面図、図７（Ｃ）は図２（Ｄ）と同様の導光レンズ３の概略的な水平断面図、図７（Ｄ）は仮想平面Ｓ２上に配置された観察者の視点ｅｙによって視認される導光レンズ３の出射部３ｂの出射面３ｂ２の明線ＢＬ１を示した図２（Ｂ）と同様の導光レンズ３の正面図である。図８は第１の実施形態の線発光ＬＥＤ照明装置１００の有利な効果を説明するための図である。詳細には、図８（Ａ）は図２（Ｄ）と同様の第１の実施形態の線発光ＬＥＤ照明装置１００の導光レンズ３の概略的な水平断面図である。図８（Ｂ）は特許文献１の図２に記載された従来の線発光ＬＥＤ照明装置と同様に構成された比較例の線発光ＬＥＤ照明装置１００ｒｅｆの導光レンズ３の中心面に沿った概略的な断面図である。
【００４６】
図９〜図１１はＬＥＤ光源１（図１参照）の発光中心１ａから仮想平面Ｓ２と角度をなして照射された光Ｌ２ａ，Ｌ２ｂ，Ｌ２ｄを説明するための図である。詳細には、図９（Ａ）はＬＥＤ光源１（図１参照）の発光中心１ａから仮想平面Ｓ２と角度をなして照射された光Ｌ２ａの光路であって、図３（Ｃ）に示す断面（仮想平面Ｓ１）内を進む光Ｌ２ａの光路を示した図である。図９（Ｂ）はＬＥＤ光源１（図１参照）の発光中心１ａから仮想平面Ｓ２と角度をなして照射された光Ｌ２ａの光路であって、導光レンズ３の反射部３ｃの反射面３ｃ１によって反射されてから導光レンズ３の出射部３ｂの反射面３ｂ１（図５参照）に入射するまでの光Ｌ２ａの光路を投影した図２（Ｂ）と同様の導光レンズ３の正面図である。図９（Ｃ）はＬＥＤ光源１（図１参照）の発光中心１ａから仮想平面Ｓ２と角度をなして照射された光Ｌ２ａの光路であって、導光レンズ３の出射部３ｂの出射面３ｂ２から出射して線発光ＬＥＤ照明装置１００の照射方向（図９（Ｃ）の右側）に照射される光Ｌ２ａの光路を投影した図３（Ａ）と同様の導光レンズ３の左側面図である。
【００４７】
図１０（Ａ）はＬＥＤ光源１（図１参照）の発光中心１ａから仮想平面Ｓ２と角度をなして照射された光Ｌ２ｂの光路であって、図６（Ａ）に示す断面（仮想平面Ｓ３（図５（Ａ）参照））内を進む光Ｌ２ｂの光路を示した図である。図１０（Ｂ）はＬＥＤ光源１（図１参照）の発光中心１ａから仮想平面Ｓ２と角度をなして照射された光Ｌ２ｂの光路であって、導光レンズ３の反射部３ｃの反射面３ｃ１によって反射されてから導光レンズ３の出射部３ｂの反射面３ｂ１（図５参照）に入射するまでの光Ｌ２ｂの光路を投影した図２（Ｂ）と同様の導光レンズ３の正面図である。図１０（Ｃ）はＬＥＤ光源１（図１参照）の発光中心１ａから仮想平面Ｓ２と角度をなして照射された光Ｌ２ｂの光路であって、導光レンズ３の出射部３ｂの出射面３ｂ２から出射して線発光ＬＥＤ照明装置１００の照射方向（図１０（Ｃ）の右側）に照射される光Ｌ２ｂの光路を投影した図３（Ａ）と同様の導光レンズ３の左側面図である。
【００４８】
図１１（Ａ）はＬＥＤ光源１（図１参照）の発光中心１ａから仮想平面Ｓ２と角度をなして照射され、次いで、導光レンズ３の入射部３ａ（図５参照）の入射面３ａ２（図５参照）を透過し、次いで、反射面３ａ３によって反射された光Ｌ２ｄの光路であって、図６（Ｂ）に示す断面（仮想平面Ｓ４（図５（Ｂ）参照））内を進む光Ｌ２ｄの光路を示した図である。図１１（Ｂ）はＬＥＤ光源１（図１参照）の発光中心１ａから仮想平面Ｓ２と角度をなして照射された光Ｌ２ｄの光路であって、導光レンズ３の反射部３ｃの反射面３ｃ２によって反射されてから導光レンズ３の出射部３ｂの出射面３ｂ２に入射するまでの光Ｌ２ｄの光路を投影した図２（Ｂ）と同様の導光レンズ３の正面図である。図１１（Ｃ）はＬＥＤ光源１（図１参照）の発光中心１ａから仮想平面Ｓ２と角度をなして照射された光Ｌ２ｄの光路であって、導光レンズ３の出射部３ｂの出射面３ｂ２によって反射されてから導光レンズ３の出射部３ｂの反射面３ｂ１（図５参照）に入射するまでの光Ｌ２ｄの光路を投影した図２（Ｂ）と同様の導光レンズ３の正面図である。図１１（Ｄ）はＬＥＤ光源１（図１参照）の発光中心１ａから仮想平面Ｓ２と角度をなして照射された光Ｌ２ｄの光路であって、導光レンズ３の出射部３ｂの出射面３ｂ２から出射して線発光ＬＥＤ照明装置１００の照射方向（図１１（Ｄ）の右側）に照射される光Ｌ２ｄの光路を投影した図３（Ａ）と同様の導光レンズ３の左側面図である。
【００４９】
図１２（Ａ）は仮想平面Ｓ２よりも上側（図７（Ａ）、図７（Ｂ）および図１２（Ａ）の上側）に配置された観察者の視点ｅｙによって視認される導光レンズ３の出射部３ｂの出射面３ｂ２の明線ＢＬ２を示した図２（Ｂ）と同様の導光レンズ３の正面図である。図１２（Ｂ）は仮想平面Ｓ２よりも下側（図７（Ａ）、図７（Ｂ）および図１２（Ａ）の下側）に配置された観察者の視点ｅｙによって視認される導光レンズ３の出射部３ｂの出射面３ｂ２の明線ＢＬ３を示した図２（Ｂ）と同様の導光レンズ３の正面図である。
【００５０】
図１３は直線ｇｈ（図４（Ａ）参照）を仮想平面Ｓ２に垂直な直線ｊｋに沿ってスイープすることにより得られる平面によって導光レンズ３の反射部３ｃの反射面３ｃ１が構成されている比較例の線発光ＬＥＤ照明装置１００ｒｅｆを説明するための図である。詳細には、図１３（Ａ）は比較例の線発光ＬＥＤ照明装置１００ｒｅｆのＬＥＤ光源１（図１参照）の発光中心１ａから仮想平面Ｓ２と角度をなして照射された光Ｌ２ｂの光路であって、仮想平面Ｓ３（図５（Ａ）参照）内を進む光Ｌ２ｂの光路を示した図である。図１３（Ｂ）は比較例の線発光ＬＥＤ照明装置１００ｒｅｆのＬＥＤ光源１（図１参照）の発光中心１ａから仮想平面Ｓ２と角度をなして照射された光Ｌ２ｂの光路であって、導光レンズ３の反射部３ｃの反射面３ｃ１によって反射された後に導光レンズ３の出射部３ｂ内を進む光Ｌ２ｂの光路を投影した比較例の線発光ＬＥＤ照明装置１００ｒｅｆの導光レンズ３の正面図である。図１３（Ｃ）は仮想平面Ｓ２よりも上側に配置された観察者の視点ｅｙによって視認される導光レンズ３の出射部３ｂの出射面３ｂ２の明線ＢＬ２を示した比較例の線発光ＬＥＤ照明装置１００ｒｅｆの導光レンズ３の正面図である。
【００５１】
図１４は第１の実施形態の線発光ＬＥＤ照明装置１００の他の有利な効果を説明するための図である。図１４（Ａ）は図３（Ｄ）と同様の第１の実施形態の線発光ＬＥＤ照明装置１００の導光レンズ３の出射部３ｂの概略的な断面図である。詳細には、図１４（Ａ）は第１の実施形態の線発光ＬＥＤ照明装置１００の導光レンズ３の出射部３ｂの反射面３ｂ１に入射する光Ｌ３、出射部３ｂの反射面３ｂ１からの反射光Ｌ３および出射部３ｂの出射面３ｂ２を透過した光Ｌ３を仮想平面Ｓ５（図２（Ｄ）参照）に投影した断面図である。図１４（Ｂ）は仮想平面Ｓ５（図２（Ｄ）参照）内における導光レンズ３の出射部３ｂの反射面３ｂ１の断面形状が仮想平面Ｓ２に垂直な直線ｔｕに設定され、出射部３ｂの出射面３ｂ２の断面形状が仮想平面Ｓ２に垂直な直線ｖｗに設定されている比較例の線発光ＬＥＤ照明装置１００ｒｅｆの導光レンズ３の出射部３ｂの概略的な断面図である。詳細には、図１４（Ｂ）は比較例の線発光ＬＥＤ照明装置１００ｒｅｆの導光レンズ３の出射部３ｂの反射面３ｂ１に入射する光Ｌ３’、出射部３ｂの反射面３ｂ１からの反射光Ｌ３’および出射部３ｂの出射面３ｂ２を透過した光Ｌ３’を仮想平面Ｓ５（図２（Ｄ）参照）に投影した断面図である。
【００５２】
図１５は第１の実施形態の線発光ＬＥＤ照明装置１００の更に他の有利な効果を説明するための図である。詳細には、図１５は導光レンズ３の反射部３ｃの反射面３ｃ２のＬＥＤ光源１の側の端部３ｃ２ａからＬＥＤ光源１までの距離と、導光レンズ３の出射部３ｂの反射面３ｂ１の基端部３ｂ−２の側（図１５の左側）の端部からＬＥＤ光源１までの距離とがほぼ等しくされている比較例の線発光ＬＥＤ照明装置１００ｒｅｆの図４（Ａ）と同様の断面図である。
【００５３】
第１の実施形態の線発光ＬＥＤ照明装置１００では、図１に示すように、概略点状に光って見えるＬＥＤ光源１と、ＬＥＤ光源１からの光を導光する導光レンズ３とが設けられている。詳細には、ＬＥＤ光源１が基板２に実装され、基板２と導光レンズ３とが例えばハウジング４を介して接続されている。また、線発光ＬＥＤ照明装置１００の照射方向（図１の下側）から導光レンズ３の出射部３ｂの出射面３ｂ２の全体または大部分を視認できるように、導光レンズ３およびハウジング４が構成されている。
【００５４】
また、第１の実施形態の線発光ＬＥＤ照明装置１００では、図２〜図４に示すように、ＬＥＤ光源１（図１参照）からの光が入射する入射部３ａと、導光レンズ３によって導光された光が出射する出射部３ｂとが、導光レンズ３に形成されている。更に、入射部３ａからの光を出射部３ｂの側に反射する反射部３ｃが、入射部３ａと出射部３ｂとの間に配置されている。また、導光レンズ３が反射部３ｃの位置で屈曲せしめられている。更に、導光レンズ３の出射部３ｂの表面のうち、ＬＥＤ光源１（図１参照）の反対側（図１および図２（Ｄ）の下側）の表面に出射面３ｂ２が形成されている。また、導光レンズ３の出射部３ｂの表面のうち、ＬＥＤ光源１の側（図１および図２（Ｄ）の上側）の表面に反射面３ｂ１が形成されている。更に、導光レンズ３の出射部３ｂの反射面３ｂ１の全体または大部分にプリズムカット３ｂ１ａ（図４（Ｂ）参照）が形成されている。また、プリズムカット３ｂ１ａの稜線（図示せず）が、図２（Ｂ）の上下方向に例えば直線状または円弧状に延ばされている。
【００５５】
詳細には、第１の実施形態の線発光ＬＥＤ照明装置１００では、図２（Ｄ）および図４（Ａ）に示すように、仮想平面Ｓ１と、仮想平面Ｓ１に垂直な仮想平面Ｓ２との交線ＳＬ上またはその近傍にＬＥＤ光源１（図１参照）の発光中心１ａが配置されている。また、ＬＥＤ光源１（図１参照）の発光中心１ａから照射されて交線ＳＬ上を進む光Ｌ１ａ（図５参照）、および、交線ＳＬと角度をなしてＬＥＤ光源１の発光中心１ａから照射された光の一部（例えば光Ｌ１ｂ，Ｌ１ｃ（図５（Ａ）参照）、光Ｌ２ａ（図９（Ａ）参照）、光Ｌ２ｂ（図１０（Ａ）参照）など）が入射する入射面３ａ１が、導光レンズ３の入射部３ａに形成されている。
【００５６】
更に、第１の実施形態の線発光ＬＥＤ照明装置１００では、図３（Ｃ）に示すように、仮想平面Ｓ１（図２（Ｄ）および図４（Ａ）参照）内における導光レンズ３の入射部３ａの入射面３ａ１の断面形状が、ＬＥＤ光源１（図１参照）の反対側（図３（Ｃ）の右側）に突出した概略円弧状の曲線ａｂに設定されている。
第１の実施形態の線発光ＬＥＤ照明装置１００の変形例では、代わりに、図３（Ｆ）に示すように、仮想平面Ｓ１（図２（Ｄ）および図４（Ａ）参照）内における導光レンズ３の入射部３ａの入射面３ａ１の断面形状を、ＬＥＤ光源１（図１参照）の反対側（図３（Ｆ）の右側）に突出した概略円弧状の曲線ａｂの一部に設定することも可能である。
また、第１の実施形態の線発光ＬＥＤ照明装置１００では、図４（Ａ）に示すように、仮想平面Ｓ２（図２（Ｂ）、図３（Ａ）および図３（Ｃ）参照）内における導光レンズ３の入射部３ａの入射面３ａ１の断面形状が、ＬＥＤ光源１（図１参照）の側（図４（Ａ）の上側）に突出した概略円弧状の曲線ｃｄに設定されている。
【００５７】
また、第１の実施形態の線発光ＬＥＤ照明装置１００では、図３（Ｂ）、図３（Ｃ）および図４（Ａ）に示すように、曲線ｃｄ（図４（Ａ）参照）を曲線ａｂ（図３（Ｃ）参照）に沿ってスイープすることにより得られる曲面によって、導光レンズ３の入射部３ａの入射面３ａ１が構成されている。
第１の実施形態の線発光ＬＥＤ照明装置１００の変形例では、代わりに、図３（Ｆ）に示すように、曲線ｃｄ（図４（Ａ）参照）を曲線ａｂ（図３（Ｆ）参照）に沿ってスイープすることにより得られる曲面の一部によって、導光レンズ３の入射部３ａの入射面３ａ１を構成することも可能である。
更に、第１の実施形態の線発光ＬＥＤ照明装置１００では、図５（Ａ）に示すように、ＬＥＤ光源１（図１参照）の発光中心１ａから照射され、次いで、導光レンズ３の入射部３ａの入射面３ａ１を透過した光Ｌ１ａ，Ｌ１ｂ，Ｌ１ｃが、仮想平面Ｓ１に概略平行になるように、導光レンズ３の入射部３ａの入射面３ａ１が形成されている。
【００５８】
詳細には、第１の実施形態の線発光ＬＥＤ照明装置１００では、図５（Ａ）に示すように、ＬＥＤ光源１（図１参照）の発光中心１ａから照射され、次いで、導光レンズ３の入射部３ａの入射面３ａ１を透過した光の一部（例えば光Ｌ１ａ，Ｌ１ｂ，Ｌ１ｃなど）が、仮想平面Ｓ１に概略平行に仮想平面Ｓ２（図２（Ｂ）、図３（Ａ）、図３（Ｂ）および図３（Ｃ）参照）内を進む。
【００５９】
更に、第１の実施形態の線発光ＬＥＤ照明装置１００では、図４（Ａ）に示すように、交線ＳＬと角度をなしてＬＥＤ光源１（図１参照）の発光中心１ａから照射された光の他の一部（例えば光Ｌ１ｄ，Ｌ１ｅ（図５（Ｂ）参照）など）が入射する入射面３ａ２が、導光レンズ３の入射部３ａに形成されている。また、仮想平面Ｓ２内における導光レンズ３の入射部３ａの入射面３ａ２の断面形状が、直線ｄｅまたは曲線に設定されている。更に、直線ｄｅまたは曲線を曲線ａｂ（図３（Ｃ）参照）に沿ってスイープすることにより得られる曲面によって、導光レンズ３の入射部３ａの入射面３ａ２が構成されている。
第１の実施形態の線発光ＬＥＤ照明装置１００の変形例では、代わりに、直線ｄｅまたは曲線を曲線ａｂ（図３（Ｆ）参照）に沿ってスイープすることにより得られる曲面の一部によって、導光レンズ３の入射部３ａの入射面３ａ２を構成することも可能である。
【００６０】
また、第１の実施形態の線発光ＬＥＤ照明装置１００では、図４（Ａ）に示すように、導光レンズ３の入射部３ａの入射面３ａ２を透過した光（例えば光Ｌ１ｄ，Ｌ１ｅ（図５（Ｂ）参照）、光Ｌ２ｄ（図１１（Ａ）参照）など）を反射する反射面３ａ３が、導光レンズ３の入射部３ａに形成されている。更に、仮想平面Ｓ２（図２（Ｂ）、図３（Ａ）、図３（Ｂ）および図３（Ｃ）参照）内における導光レンズ３の入射部３ａの反射面３ａ３の断面形状が、曲線ｅｆまたは直線に設定されている。また、曲線ｅｆまたは直線を曲線ａｂ（図３（Ｃ）参照）に沿ってスイープすることにより得られる曲面によって、導光レンズ３の入射部３ａの反射面３ａ３が構成されている。
第１の実施形態の線発光ＬＥＤ照明装置１００の変形例では、代わりに、曲線ｅｆまたは直線を曲線ａｂ（図３（Ｆ）参照）に沿ってスイープすることにより得られる曲面の一部によって、導光レンズ３の入射部３ａの反射面３ａ３を構成することも可能である。
【００６１】
更に、第１の実施形態の線発光ＬＥＤ照明装置１００では、図５（Ｂ）に示すように、ＬＥＤ光源１（図１参照）の発光中心１ａから照射され、次いで、導光レンズ３の入射部３ａの入射面３ａ２を透過し、次いで、反射面３ａ３によって反射された光Ｌ１ｄ，Ｌ１ｅが、仮想平面Ｓ１に概略平行になるように、導光レンズ３の入射部３ａの入射面３ａ２および反射面３ａ３が形成されている。
【００６２】
また、第１の実施形態の線発光ＬＥＤ照明装置１００では、図４に示すように、導光レンズ３の入射部３ａの入射面３ａ１を透過した光（例えばＬ１ａ，Ｌ１ｂ，Ｌ１ｃ（図５（Ａ）参照）、光Ｌ２ａ（図９（Ａ）参照）、光Ｌ２ｂ（図１０（Ａ）参照）など）を反射する反射面３ｃ１が、導光レンズ３の反射部３ｃに形成されている。更に、仮想平面Ｓ２（図２（Ｂ）、図３（Ａ）、図３（Ｂ）および図３（Ｃ）参照）内における導光レンズ３の反射部３ｃの反射面３ｃ１の断面形状が、直線ｇｈに設定されている。また、直線ｇｈを曲線ａｂ（図３（Ｃ）参照）に沿ってスイープすることにより得られる曲面によって、導光レンズ３の反射部３ｃの反射面３ｃ１が構成されている。
【００６３】
更に、第１の実施形態の線発光ＬＥＤ照明装置１００では、図５（Ａ）に示すように、ＬＥＤ光源１（図１参照）の発光中心１ａから照射され、次いで、導光レンズ３の入射部３ａの入射面３ａ１を透過し、次いで、反射部３ｃの反射面３ｃ１によって反射されて仮想平面Ｓ２（図２（Ｂ）、図３（Ａ）、図３（Ｂ）および図３（Ｃ）参照）内を進む光Ｌ１ａ，Ｌ１ｂ，Ｌ１ｃが、仮想平面Ｓ１と角度θ１をなす概略平行光になるように、導光レンズ３の反射部３ｃの反射面３ｃ１が形成されている。
【００６４】
また、第１の実施形態の線発光ＬＥＤ照明装置１００では、図４に示すように、導光レンズ３の入射部３ａの反射面３ａ３からの反射光（例えば光Ｌ１ｄ，Ｌ１ｅ（図５（Ｂ）参照）、光Ｌ２ｄ（図１１（Ａ）参照）など）を反射する反射面３ｃ２が、導光レンズ３の反射部３ｃに形成されている。更に、仮想平面Ｓ２（図２（Ｂ）、図３（Ａ）、図３（Ｂ）および図３（Ｃ）参照）内における導光レンズ３の反射部３ｃの反射面３ｃ２の断面形状が、直線ｈｉに設定されている。また、直線ｈｉを曲線ａｂ（図３（Ｃ）参照）に沿ってスイープすることにより得られる曲面によって、導光レンズ３の反射部３ｃの反射面３ｃ２が構成されている。
【００６５】
更に、第１の実施形態の線発光ＬＥＤ照明装置１００では、図５（Ｂ）に示すように、ＬＥＤ光源１（図１参照）の発光中心１ａから照射され、次いで、導光レンズ３の入射部３ａの入射面３ａ２を透過し、次いで、入射部３ａの反射面３ａ３によって反射され、次いで、反射部３ｃの反射面３ｃ２によって反射されて仮想平面Ｓ２（図２（Ｂ）、図３（Ａ）、図３（Ｂ）および図３（Ｃ）参照）内を進む光Ｌ１ｄ，Ｌ１ｅが、仮想平面Ｓ１と角度θ２（＜θ１）をなす概略平行光になるように、導光レンズ３の反射部３ｃの反射面３ｃ２が形成されている。
【００６６】
詳細には、第１の実施形態の線発光ＬＥＤ照明装置１００では、仮想平面Ｓ１（図５参照）と角度θ１（図５（Ａ）参照）をなして仮想平面Ｓ２（図２（Ｂ）、図３（Ａ）、図３（Ｂ）および図３（Ｃ）参照）内を進む反射面３ｃ１（図５（Ａ）参照）からの概略平行光（例えば光Ｌ１ａ，Ｌ１ｂ，Ｌ１ｃ（図５（Ａ）参照）など）、および、仮想平面Ｓ１と角度θ２（図５（Ａ）参照）をなして仮想平面Ｓ２内を進む反射面３ｃ２（図５（Ｂ）参照）からの概略平行光（例えば光Ｌ１ｄ，Ｌ１ｅ（図５（Ｂ）参照）など）が、導光レンズ３（図２（Ｄ）参照）の出射部３ｂ（図２（Ｄ）参照）の反射面３ｂ１（図２（Ｄ）参照）のプリズムカット３ｂ１ａ（図４（Ｂ）参照）および出射面３ｂ２（図２（Ｄ）参照）による内面反射を繰り返す。その結果、仮想平面Ｓ２（図２（Ｂ）参照）内における導光レンズ３の出射部３ｂの反射面３ｂ１のプリズムカット３ｂ１ａの全体にＬＥＤ光源１（図１参照）からの光が到達する。
【００６７】
更に、第１の実施形態の線発光ＬＥＤ照明装置１００では、仮想平面Ｓ２（図２（Ｂ）参照）内における導光レンズ３（図７（Ｃ）参照）の出射部３ｂ（図７（Ｃ）参照）の反射面３ｂ１（図７（Ｃ）参照）のプリズムカット３ｂ１ａ（図４（Ｂ）参照）の全体からの反射光の一部（例えば光Ｌ１（図７（Ｃ）参照）など）が、出射面３ｂ２（図７（Ｃ）参照）を透過する。詳細には、第１の実施形態の線発光ＬＥＤ照明装置１００では、図７（Ａ）および図７（Ｂ）に示すように観察者の視点ｅｙが仮想平面Ｓ２上に配置されている場合に、図７（Ｃ）に示すように、仮想平面Ｓ２（図２（Ｂ）参照）内における導光レンズ３の出射部３ｂの出射面３ｂ２の全体から観察者の視点ｅｙに向かって進む光Ｌ１が存在する。その結果、第１の実施形態の線発光ＬＥＤ照明装置１００によれば、図７（Ｄ）に示すように、ＬＥＤ光源１（図１参照）の点灯時に、仮想平面Ｓ２内における導光レンズ３の出射部３ｂの出射面３ｂ２に形成される光って見える明線ＢＬ１を、仮想平面Ｓ２上に配置された観察者の視点ｅｙ（図７（Ａ）、図７（Ｂ）および図７（Ｃ）参照）によって視認させることができる。
【００６８】
詳細には、第１の実施形態の線発光ＬＥＤ照明装置１００では、ＬＥＤ光源１（図１参照）の発光中心１ａ（図５（Ａ）参照）から照射され、次いで、導光レンズ３（図５（Ａ）参照）の入射部３ａ（図５（Ａ）参照）の入射面３ａ１（図５（Ａ）参照）を透過する光に、仮想平面Ｓ２（図７参照）内を進む光（例えば光Ｌ１ａ，Ｌ１ｂ，Ｌ１ｃ（図５（Ａ）参照）など）が含まれるのみならず、仮想平面Ｓ２と角度をなす光（例えば光Ｌ２ａ（図９（Ａ）参照）、光Ｌ２ｂ（図１０（Ａ）参照）など）も含まれる。
【００６９】
また、第１の実施形態の線発光ＬＥＤ照明装置１００では、図２（Ｄ）および図３（Ｃ）に示すように、仮想平面Ｓ２（図３（Ｃ）参照）に垂直な方向の導光レンズ３の入射部３ａの入射面３ａ１の幅寸法Ｗ３ａ１（図３（Ｃ）参照）と、仮想平面Ｓ２に垂直な方向の導光レンズ３の反射部３ｃの反射面３ｃ１の幅寸法Ｗ３ｃ１（図３（Ｃ）参照）とが概略等しく設定されている。更に、導光レンズ３の入射部３ａの入射面３ａ１の幅寸法Ｗ３ａ１（図３（Ｃ）参照）および反射部３ｃの反射面３ｃ１の幅寸法Ｗ３ｃ１（図３（Ｃ）参照）が、仮想平面Ｓ１（図２（Ｄ）参照）に垂直な方向の導光レンズ３の入射部３ａの入射面３ａ１の厚さ寸法Ｔ３ａ１（図２（Ｄ）参照）よりも大きく設定されている。
【００７０】
そのため、第１の実施形態の線発光ＬＥＤ照明装置１００では、図９（Ａ）に示すように、仮想平面Ｓ２と例えば１０°のような大きい角度をなしてＬＥＤ光源１（図１参照）の発光中心１ａから照射され、次いで、導光レンズ３の入射部３ａの入射面３ａ１を透過して仮想平面Ｓ１（図５（Ａ）参照)内を進む光Ｌ２ａが、反射を経ることなく、導光レンズ３の反射部３ｃの反射面３ｃ１に入射することができる。
第１の実施形態の線発光ＬＥＤ照明装置１００の変形例では、代わりに、図２（Ｄ）および図３（Ｆ）に示すように、仮想平面Ｓ２（図３（Ｆ）参照）に垂直な方向の導光レンズ３の入射部３ａの入射面３ａ１の幅寸法Ｗ３ａ１（図３（Ｆ）参照）を、仮想平面Ｓ２に垂直な方向の導光レンズ３の反射部３ｃの反射面３ｃ１の幅寸法Ｗ３ｃ１（図３（Ｃ）参照）より小さく設定することも可能である。
第１の実施形態の線発光ＬＥＤ照明装置１００の変形例では、図３（Ｇ）に示すように、仮想平面Ｓ２と大きい角度をなしてＬＥＤ光源１（図１参照）の発光中心１ａから上側（図３（Ｇ）の上側）に照射され、次いで、導光レンズ３の入射部３の入射面３ａ１の上端部３ａ１Ｕを透過して仮想平面Ｓ１（図２（Ｄ）参照)内を進む光ＬＵが、反射を経ることなく、導光レンズ３の反射部３ｃの反射面３ｃ１の上端部３ｃ１Ｕに入射することができる。また、仮想平面Ｓ２と大きい角度をなしてＬＥＤ光源１（図１参照）の発光中心１ａから下側（図３（Ｇ）の下側）に照射され、次いで、導光レンズ３の入射部３の入射面３ａ１の下端部３ａ１Ｄを透過して仮想平面Ｓ１（図２（Ｄ）参照)内を進む光ＬＤが、反射を経ることなく、導光レンズ３の反射部３ｃの反射面３ｃ１の下端部３ｃ１Ｄに入射することができる。
【００７１】
第１の実施形態の線発光ＬＥＤ照明装置１００では、次いで、図９（Ｂ）に示すように、導光レンズ３の反射部３ｃの反射面３ｃ１によって反射された光Ｌ２ａが、導光レンズ３の出射部３ｂの反射面３ｂ１（図２（Ｄ）参照）のプリズムカット３ｂ１ａ（図４（Ｂ）参照）および出射面３ｂ２による内面反射を繰り返し、図９（Ｂ）中に矢印で示すように出射部３ｂ内を進む。
【００７２】
更に、第１の実施形態の線発光ＬＥＤ照明装置１００では、図９（Ａ）に示すように、導光レンズ３の入射部３ａの入射面３ａ１を透過した光Ｌ２ａを含む仮想平面Ｓ１（図５（Ａ）参照）内における導光レンズ３の反射部３ｃの反射面３ｃ１の断面形状が、ＬＥＤ光源１（図１参照）の反対側（図９（Ａ）の右側）に突出した概略円弧状の曲線に設定されている。
【００７３】
そのため、第１の実施形態の線発光ＬＥＤ照明装置１００では、図９（Ａ）および図９（Ｂ）に示すように、導光レンズ３の反射部３ｃの反射面３ｃ１に入射する光Ｌ２ａ（図９（Ａ）参照）が仮想平面Ｓ２となす角度よりも、反射面３ｃ１からの反射光Ｌ２ａ（図９（Ｂ）参照）が仮想平面Ｓ２となす角度を小さくすることができる。
【００７４】
更に、第１の実施形態の線発光ＬＥＤ照明装置１００では、図９（Ｃ）に示すように、導光レンズ３の出射部３ｂの反射面３ｂ１（図３（Ｂ）参照）のプリズムカット３ｂ１ａ（図４（Ｂ）参照）の仮想平面Ｓ２（図３（Ｂ）参照）から外れた位置からの反射光の一部（例えば光Ｌ２ａ（図９（Ｃ）参照）など）が、出射面３ｂ２を透過する。詳細には、第１の実施形態の線発光ＬＥＤ照明装置１００では、観察者の視点が仮想平面Ｓ２（図９（Ｃ）参照）から外れた位置に配置されている場合に、図９（Ｃ）に示すように、導光レンズ３の出射部３ｂの出射面３ｂ２の仮想平面Ｓ２から外れた位置から観察者の視点に向かって進む光Ｌ２ａが存在する。
【００７５】
更に、第１の実施形態の線発光ＬＥＤ照明装置１００では、図１０（Ａ）に示すように、仮想平面Ｓ２と例えば１０°のような大きい角度をなしてＬＥＤ光源１（図１参照）の発光中心１ａから照射され、次いで、導光レンズ３の入射部３ａの入射面３ａ１を透過して仮想平面Ｓ３（図５（Ａ）参照)内を進む光Ｌ２ｂが、反射を経ることなく、導光レンズ３の反射部３ｃの反射面３ｃ１に入射することができる。
【００７６】
次いで、図１０（Ｂ）に示すように、導光レンズ３の反射部３ｃの反射面３ｃ１によって反射された光Ｌ２ｂが、導光レンズ３の出射部３ｂの反射面３ｂ１（図２（Ｄ）参照）のプリズムカット３ｂ１ａ（図４（Ｂ）参照）および出射面３ｂ２による内面反射を繰り返し、図１０（Ｂ）中に矢印で示すように出射部３ｂ内を進む。
【００７７】
更に、第１の実施形態の線発光ＬＥＤ照明装置１００では、図１０（Ａ）に示すように、導光レンズ３の入射部３ａの入射面３ａ１を透過した光Ｌ２ｂを含む仮想平面Ｓ３（図５（Ａ）参照）内における導光レンズ３の反射部３ｃの反射面３ｃ１の断面形状が、ＬＥＤ光源１（図１参照）の反対側（図１０（Ａ）の右側）に突出した概略円弧状の曲線ｊｋに設定されている。
【００７８】
そのため、第１の実施形態の線発光ＬＥＤ照明装置１００では、図１０（Ａ）および図１０（Ｂ）に示すように、導光レンズ３の反射部３ｃの反射面３ｃ１に入射する光Ｌ２ｂ（図１０（Ａ）参照）が仮想平面Ｓ２となす角度よりも、反射面３ｃ１からの反射光Ｌ２ｂ（図１０（Ｂ）参照）が仮想平面Ｓ２となす角度を小さくすることができる。
【００７９】
更に、第１の実施形態の線発光ＬＥＤ照明装置１００では、図１０（Ｃ）に示すように、導光レンズ３の出射部３ｂの反射面３ｂ１（図３（Ｂ）参照）のプリズムカット３ｂ１ａ（図４（Ｂ）参照）の仮想平面Ｓ２（図３（Ｂ）参照）から外れた位置からの反射光の一部（例えば光Ｌ２ｂ（図１０（Ｃ）参照）など）が、出射面３ｂ２を透過する。詳細には、第１の実施形態の線発光ＬＥＤ照明装置１００では、観察者の視点が仮想平面Ｓ２（図１０（Ｃ）参照）から外れた位置に配置されている場合に、図１０（Ｃ）に示すように、導光レンズ３の出射部３ｂの出射面３ｂ２の仮想平面Ｓ２から外れた位置から観察者の視点に向かって進む光Ｌ２ｂが存在する。
【００８０】
その結果、第１の実施形態の線発光ＬＥＤ照明装置１００によれば、観察者の視点が仮想平面Ｓ２（図１２（Ａ）参照）よりも上側（図１２（Ａ）の上側）に配置されている場合に、図１２（Ａ）に示すように、ＬＥＤ光源１（図１参照）の点灯時に、導光レンズ３の出射部３ｂの出射面３ｂ２の仮想平面Ｓ２から外れた位置に形成される明線ＢＬ２であって、導光レンズ３の出射部３ｂの出射面３ｂ２の仮想平面Ｓ２から外れた位置から出射する光（例えば光Ｌ２ａ（図９（Ｃ）参照）、光Ｌ２ｂ（図１０（Ｃ）参照）など）によって形成される明線ＢＬ２を、観察者の視点によって視認させることができる。
【００８１】
一方、比較例の線発光ＬＥＤ照明装置１００ｒｅｆ（図１３参照）のように、導光レンズ３（図１３（Ａ）参照）の入射部３ａの入射面３ａ１（図１３（Ａ）参照）を透過した光Ｌ２ｂ（図１３（Ａ）参照）を含む仮想平面Ｓ３（図５（Ａ）参照）内における導光レンズ３の反射部３ｃの反射面３ｃ１（図１３（Ａ）参照）の断面形状が仮想平面Ｓ２（図１３（Ａ）参照）に垂直な直線ｊｋ（図１３（Ａ）参照）に設定されている場合には、導光レンズ３の反射部３ｃの反射面３ｃ１に入射する光Ｌ２ｂ（図１３（Ａ）参照）が仮想平面Ｓ２となす角度と比べて、反射面３ｃ１からの反射光Ｌ２ｂ（図１３（Ｂ）参照）が仮想平面Ｓ２となす角度が小さくならない。
【００８２】
そのため、比較例の線発光ＬＥＤ照明装置１００ｒｅｆ（図１３参照）では、図１３（Ｃ）に示すように、導光レンズ３の出射部３ｂの先端部３ｂ−１まで延びている明線ＢＬ２を、導光レンズ３の出射部３ｂの出射面３ｂ２のうち、仮想平面Ｓ２から外れた位置に形成するために、交線ＳＬ（図２（Ｄ）参照）を中心とする概略扇形形状に導光レンズ３の出射部３ｂを形成する必要が生じてしまう。
【００８３】
それに対し、第１の実施形態の線発光ＬＥＤ照明装置１００では、図９（Ａ）および図９（Ｂ）に示すように、導光レンズ３（図９（Ａ）参照）の反射部３ｃの反射面３ｃ１（図９（Ａ）参照）に入射する光Ｌ２ａ（図９（Ａ）参照）が仮想平面Ｓ２（図９（Ａ）参照）となす角度よりも、反射面３ｃ１（図９（Ｂ）参照）からの反射光Ｌ２ａ（図９（Ｂ）参照）が仮想平面Ｓ２（図９（Ｂ）参照）となす角度が小さくなると共に、図１０（Ａ）および図１０（Ｂ）に示すように、導光レンズ３（図１０（Ａ）参照）の反射部３ｃの反射面３ｃ１（図１０（Ａ）参照）に入射する光Ｌ２ｂ（図１０（Ａ）参照）が仮想平面Ｓ２（図１０（Ａ）参照）となす角度よりも、反射面３ｃ１（図１０（Ｂ）参照）からの反射光Ｌ２ｂ（図１０（Ｂ）参照）が仮想平面Ｓ２（図１０（Ｂ）参照）となす角度が小さくなる。
【００８４】
そのため、第１の実施形態の線発光ＬＥＤ照明装置１００によれば、比較例の線発光ＬＥＤ照明装置１００ｒｅｆ（図１３（Ｃ）参照）のように交線ＳＬ（図２（Ｄ）参照）を中心とする概略扇形形状に導光レンズ３（図１３（Ｃ）参照）の出射部３ｂ（図１３（Ｃ）参照）を形成する必要なく、導光レンズ３（図１２（Ａ）参照）の出射部３ｂ（図１２（Ａ）参照）の先端部３ｂ−１（図１２（Ａ）参照）まで延びている明線ＢＬ２（図１２（Ａ）参照）を、導光レンズ３の出射部３ｂの出射面３ｂ２（図１２（Ａ）参照）のうち、仮想平面Ｓ２（図１２（Ａ）参照）から外れた位置に形成することができる。
【００８５】
同様に、第１の実施形態の線発光ＬＥＤ照明装置１００では、観察者の視点が仮想平面Ｓ２（図１２（Ｂ）参照）よりも下側（図１２（Ｂ）の下側）に配置されている場合に、図１２（Ｂ）に示すように、ＬＥＤ光源１（図１参照）の点灯時に、導光レンズ３の出射部３ｂの出射面３ｂ２の仮想平面Ｓ２から外れた位置に形成される明線ＢＬ３であって、導光レンズ３の出射部３ｂの出射面３ｂ２の仮想平面Ｓ２から外れた位置から出射する光によって形成される明線ＢＬ３を、観察者の視点によって視認させることができる。詳細には、第１の実施形態の線発光ＬＥＤ照明装置１００では、図１２（Ｂ）に示すように、導光レンズ３の出射部３ｂの先端部３ｂ−１まで延びている明線ＢＬ３を、導光レンズ３の出射部３ｂの出射面３ｂ２のうち、仮想平面Ｓ２から外れた位置に形成することができる。
【００８６】
詳細には、第１の実施形態の線発光ＬＥＤ照明装置１００では、ＬＥＤ光源１（図１参照）の発光中心１ａ（図５（Ｂ）参照）から照射され、次いで、導光レンズ３（図５（Ｂ）参照）の入射部３ａ（図５（Ｂ）参照）の入射面３ａ２（図５（Ｂ）参照）を透過し、次いで、反射面３ａ３（図５（Ｂ）参照）によって反射される光に、仮想平面Ｓ２（図７参照）内を進む光（例えば光Ｌ１ｄ，Ｌ１ｅ（図５（Ｂ）参照）など）が含まれるのみならず、仮想平面Ｓ２と角度をなす光（例えば光Ｌ２ｄ（図１１（Ａ）参照）など）も含まれる。
【００８７】
また、第１の実施形態の線発光ＬＥＤ照明装置１００では、図２（Ｄ）および図６（Ｂ）に示すように、仮想平面Ｓ２（図６（Ｂ）参照）に垂直な方向の導光レンズ３の入射部３ａの反射面３ａ３の幅寸法Ｗ３ａ３（図６（Ｂ）参照）と、仮想平面Ｓ２に垂直な方向の導光レンズ３の反射部３ｃの反射面３ｃ２の幅寸法Ｗ３ｃ２（図６（Ｂ）参照）とが、概略等しく設定されている。更に、導光レンズ３の入射部３ａの反射面３ａ３の幅寸法Ｗ３ａ３（図６（Ｂ）参照）および反射部３ｃの反射面３ｃ２の幅寸法Ｗ３ｃ２（図６（Ｂ）参照）が、仮想平面Ｓ１（図２（Ｄ）参照）に垂直な方向の導光レンズ３の入射部３ａの反射面３ａ３の厚さ寸法Ｔ３ａ３（図２（Ｄ）参照）よりも大きく設定されている。
【００８８】
そのため、第１の実施形態の線発光ＬＥＤ照明装置１００では、図１１（Ａ）に示すように、仮想平面Ｓ２と例えば１０°のような大きい角度をなしてＬＥＤ光源１（図１参照）の発光中心１ａから照射され、次いで、導光レンズ３の入射部３ａの入射面３ａ２（図５（Ｂ）参照）を透過し、次いで、入射部３ａの反射面３ａ３によって反射されて仮想平面Ｓ１（図５（Ｂ）参照）に平行な仮想平面Ｓ４（図５（Ｂ）参照）内を進む光Ｌ２ｄが、反射を経ることなく、導光レンズ３の反射部３ｃの反射面３ｃ１に入射することができる。
第１の実施形態の線発光ＬＥＤ照明装置１００の変形例では、代わりに、仮想平面Ｓ２（図６（Ｂ）参照）に垂直な方向の導光レンズ３（図６（Ｂ）参照）の入射部３ａの反射面３ａ３（図６（Ｂ）参照）の幅寸法Ｗ３ａ３（図６（Ｂ）参照）を、仮想平面Ｓ２（図６（Ｂ）参照）に垂直な方向の導光レンズ３（図６（Ｂ）参照）の反射部３ｃの反射面３ｃ２（図６（Ｂ）参照）の幅寸法Ｗ３ｃ２（図６（Ｂ）参照）より小さく設定することも可能である。
【００８９】
第１の実施形態の線発光ＬＥＤ照明装置１００では、次いで、図１１（Ｂ）に示すように、導光レンズ３の反射部３ｃの反射面３ｃ２によって反射された光Ｌ２ｄが、導光レンズ３の出射部３ｂの反射面３ｂ１（図２（Ｄ）参照）のプリズムカット３ｂ１ａ（図４（Ｂ）参照）および出射面３ｂ２による内面反射を繰り返し、図１１（Ｂ）および図１１（Ｃ）中に矢印で示すように出射部３ｂ内を進む。
【００９０】
更に、第１の実施形態の線発光ＬＥＤ照明装置１００では、図１１（Ａ）に示すように、導光レンズ３の入射部３ａの反射面３ａ３からの反射光Ｌ２ｄを含む仮想平面Ｓ４（図５（Ｂ）参照）内における導光レンズ３の反射部３ｃの反射面３ｃ２の断面形状が、ＬＥＤ光源１（図１参照）の反対側（図１１（Ａ）の右側）に突出した概略円弧状の曲線ｍｎに設定されている。
【００９１】
そのため、第１の実施形態の線発光ＬＥＤ照明装置１００では、図１１（Ａ）、図１１（Ｂ）および図１１（Ｃ）に示すように、導光レンズ３の反射部３ｃの反射面３ｃ２に入射する光Ｌ２ｄ（図１１（Ａ）参照）が仮想平面Ｓ２となす角度よりも、反射面３ｃ２からの反射光Ｌ２ｄ（図１１（Ｂ）および図１１（Ｃ）参照）が仮想平面Ｓ２となす角度を小さくすることができる。
【００９２】
更に、第１の実施形態の線発光ＬＥＤ照明装置１００では、図１１（Ｄ）に示すように、導光レンズ３の出射部３ｂの反射面３ｂ１（図３（Ｂ）参照）のプリズムカット３ｂ１ａ（図４（Ｂ）参照）の仮想平面Ｓ２（図３（Ｂ）参照）から外れた位置からの反射光の一部（例えば光Ｌ２ｄ（図１１（Ｄ）参照）など）が、出射面３ｂ２を透過する。詳細には、第１の実施形態の線発光ＬＥＤ照明装置１００では、観察者の視点が仮想平面Ｓ２（図１１（Ｄ）参照）から外れた位置に配置されている場合に、図１１（Ｄ）に示すように、導光レンズ３の出射部３ｂの出射面３ｂ２の仮想平面Ｓ２から外れた位置から観察者の視点に向かって進む光Ｌ２ｄが存在する。
【００９３】
そのため、第１の実施形態の線発光ＬＥＤ照明装置１００によれば、導光レンズ３の反射部３ｃに反射面３ｃ２が形成されていない場合よりも、つまり、導光レンズ３の反射部３ｃに反射面３ｃ２からの反射光Ｌ２ｄ（図１１（Ｂ）、図１１（Ｃ）および図１１（Ｄ）参照）が明線ＢＬ２（図１２（Ａ）参照）の形成に用いられない場合よりも、ＬＥＤ光源１（図１参照）の点灯時に導光レンズ３の出射部３ｂの出射面３ｂ２に形成される明線ＢＬ２（図１２（Ａ）参照）を明瞭にすることができる。
【００９４】
また、第１の実施形態の線発光ＬＥＤ照明装置１００では、図２（Ｄ）に示すように、仮想平面Ｓ２（図２（Ｂ）参照）内における導光レンズ３の出射部３ｂの反射面３ｂ１の断面形状が、ＬＥＤ光源１（図１参照）の反対側（図２（Ｄ）の下側）に突出した概略円弧状の曲線ｐｑに設定されている。更に、仮想平面Ｓ２（図２（Ｂ）参照）内における導光レンズ３の出射部３ｂの出射面３ｂ２の断面形状が、ＬＥＤ光源１（図１参照）の反対側（図２（Ｄ）の下側）に突出した概略円弧状の曲線ｇｒに設定されている。
【００９５】
そのため、第１の実施形態の線発光ＬＥＤ照明装置１００では、図８（Ａ）に示すように、例えば、導光レンズ３の出射部３ｂの先端部３ｂ−１（図２（Ｃ）参照）の出射面３ｂ２から出射して仮想平面Ｓ２（図２（Ｂ）参照）内を進む光が出射面３ｂ２と小さい角度をなすように、導光レンズ３の出射部３ｂの先端部３ｂ−１（図２（Ｃ）参照）の反射面３ｂ１のプリズムカット３ｂ１ａ（図４（Ｂ）参照）を形成すると共に、導光レンズ３の出射部３ｂの基端部３ｂ−２（図２（Ｃ）参照）の出射面３ｂ２から出射して仮想平面Ｓ２（図２（Ｂ）参照）内を進む光が出射面３ｂ２と小さい角度をなすように、導光レンズ３の出射部３ｂの基端部３ｂ−２（図２（Ｃ）参照）の反射面３ｂ１のプリズムカット３ｂ１ａ（図４（Ｂ）参照）を形成することにより、ＬＥＤ光源１（図１参照）の点灯時に導光レンズ３の出射部３ｂの出射面３ｂ２に形成される明線ＢＬ１（図７（Ｄ）参照）の少なくとも一部を視認可能な視野角θＶＡ（図８（Ａ）参照）を１８０°よりも大きくすることができる。
【００９６】
それに対し、特許文献１の図２に記載された従来の線発光ＬＥＤ照明装置と同様に構成された比較例の線発光ＬＥＤ照明装置１００ｒｅｆでは、図８（Ｂ）に示すように、導光レンズ３の中心面内における導光レンズ３の出射部３ｂの反射面３ｂ１の断面形状が直線に設定されており、導光レンズ３の中心面内における導光レンズ３の出射部３ｂの出射面３ｂ２の断面形状が直線に設定されている。
【００９７】
そのため、特許文献１の図２に記載された従来の線発光ＬＥＤ照明装置と同様に構成された比較例の線発光ＬＥＤ照明装置１００ｒｅｆでは、図８（Ｂ）に示すように、例えば、導光レンズ３の出射部３ｂの先端部の出射面３ｂ２から出射して導光レンズ３の中心面内を進む光が出射面３ｂ２と小さい角度をなすように、導光レンズ３の出射部３ｂの先端部の反射面３ｂ１のプリズムカットを形成すると共に、導光レンズ３の出射部３ｂの基端部の出射面３ｂ２から出射して導光レンズ３の中心面Ｓ２内を進む光が出射面３ｂ２と小さい角度をなすように、導光レンズ３の出射部３ｂの基端部の反射面３ｂ１のプリズムカットを形成した場合であっても、ＬＥＤ光源１（図１参照）の点灯時に導光レンズ３の出射部３ｂの出射面３ｂ２に形成される明線ＢＬ１（図７（Ｄ）参照）の少なくとも一部を視認可能な視野角θＶＡ（図８（Ｂ）参照）を１８０°よりも大きくすることができない。
【００９８】
つまり、第１の実施形態の線発光ＬＥＤ照明装置１００（図８（Ａ）参照）によれば、導光レンズ３の出射部３ｂの反射面３ｂ１および出射面３ｂ２の断面形状が直線に設定されている比較例の線発光ＬＥＤ照明装置１００ｒｅｆ（図８（Ｂ）参照）よりも、ＬＥＤ光源１（図１参照）の点灯時に導光レンズ３の出射部３ｂの出射面３ｂ２に形成される明線ＢＬ１（図７（Ｄ）参照）の少なくとも一部を視認可能な視野角θＶＡを大きくすることができる。
【００９９】
更に、第１の実施形態の線発光ＬＥＤ照明装置１００では、図３（Ｄ）に示すように、仮想平面Ｓ１（図２（Ｄ）参照）に平行な仮想平面Ｓ５（図２（Ｄ）参照）内における導光レンズ３の出射部３ｂの反射面３ｂ１の断面形状が、ＬＥＤ光源１（図１参照）の反対側（図３（Ｄ）の右側）に突出した概略円弧状の曲線ｔｕに設定されている。また、仮想平面Ｓ５（図２（Ｄ）参照）内における導光レンズ３の出射部３ｂの出射面３ｂ２の断面形状が、ＬＥＤ光源１（図１参照）の反対側（図３（Ｄ）の右側）に突出した概略円弧状の曲線ｖｗに設定されている。
【０１００】
そのため、第１の実施形態の線発光ＬＥＤ照明装置１００では、図１４（Ａ）に示すように、出射部３ｂの反射面３ｂ１からの反射光Ｌ３と仮想平面Ｓ２とがなす角度θｂよりも、出射部３ｂの出射面３ｂ２を透過した光Ｌ３と仮想平面Ｓ２とがなす角度θｃが大きくなる。更に、導光レンズ３の出射部３ｂの反射面３ｂ１に入射する光Ｌ３と仮想平面Ｓ２とがなす角度θａよりも、出射部３ｂの反射面３ｂ１からの反射光Ｌ３と仮想平面Ｓ２とがなす角度θｂが大きくなる。
【０１０１】
それに対し、特許文献１の図２および図８に記載された従来の線発光ＬＥＤ照明装置と同様に構成された比較例の線発光ＬＥＤ照明装置１００ｒｅｆでは、図１４（Ｂ）に示すように、導光レンズ３の出射部３ｂの出射面３ｂ２と角度をなす断面内における導光レンズ３の出射部３ｂの反射面３ｂ１の断面形状が直線ｔｕに設定されており、その断面内における導光レンズ３の出射部３ｂの出射面３ｂ２の断面形状が直線ｔｕに平行な直線ｖｗに設定されている。
【０１０２】
そのため、特許文献１の図２および図８に記載された従来の線発光ＬＥＤ照明装置と同様に構成された比較例の線発光ＬＥＤ照明装置１００ｒｅｆでは、図１４（Ｂ）に示すように、出射部３ｂの反射面３ｂ１からの反射光Ｌ３’と仮想平面Ｓ２とがなす角度θｂ’よりも、出射部３ｂの出射面３ｂ２を透過した光Ｌ３’と仮想平面Ｓ２とがなす角度θｃ’が大きくなるものの、導光レンズ３の出射部３ｂの反射面３ｂ１に入射する光Ｌ３’と仮想平面Ｓ２とがなす角度θａと、出射部３ｂの反射面３ｂ１からの反射光Ｌ３’と仮想平面Ｓ２とがなす角度θｂ’とが等しくなる。
【０１０３】
つまり、第１の実施形態の線発光ＬＥＤ照明装置１００（図１４（Ａ）参照）によれば、導光レンズ３の出射部３ｂの反射面３ｂ１および出射面３ｂ２の断面形状が互いに平行な直線に設定されている比較例の線発光ＬＥＤ照明装置１００ｒｅｆ（図１４（Ｂ）参照）よりも、ＬＥＤ光源１（図１参照）の点灯時に導光レンズ３の出射部３ｂの出射面３ｂ２の仮想平面Ｓ２から外れた位置に形成される明線（例えば明線ＢＬ２（図１２（Ａ）参照）、明線ＢＬ３（図１２（Ｂ）参照）など）の少なくとも一部を視認可能な視野角を大きくすることができる。
【０１０４】
特許文献１の図２に記載された従来の線発光ＬＥＤ照明装置と同様に構成された比較例の線発光ＬＥＤ照明装置１００ｒｅｆでは、図１５に示すように、導光レンズ３の反射部３ｃの反射面３ｃ２のＬＥＤ光源１（図１参照）の側（図１５の上側）の端部３ｃ２ａからＬＥＤ光源１までの距離と、導光レンズ３の出射部３ｂの反射面３ｂ１の基端部３ｂ−２の側（図１５の左側）の端部からＬＥＤ光源１までの距離とがほぼ等しくされている。そのため、比較例の線発光ＬＥＤ照明装置１００ｒｅｆでは、図１５に示すように、導光レンズ３の出射部３ｂの基端部３ｂ−２の肉厚が大きくなってしまい、その結果、線発光ＬＥＤ照明装置１００ｒｅｆ全体が大型化してしまう。
【０１０５】
この問題点に鑑み、第１の実施形態の線発光ＬＥＤ照明装置１００では、図４（Ａ）に示すように、導光レンズ３の反射部３ｃの反射面３ｃ２のＬＥＤ光源１（図１参照）の側（図４（Ａ）の上側）の端部３ｃ２ａが、導光レンズ３の出射部３ｂの反射面３ｂ１よりもＬＥＤ光源１の近く（図４（Ａ）の上側）に配置されている。そのため、第１の実施形態の線発光ＬＥＤ照明装置１００によれば、導光レンズ３の出射部３ｂの基端部３ｂ−２の肉厚を小さくすることができ、それにより、線発光ＬＥＤ照明装置１００全体を小型化することができる。
【０１０６】
第１の実施形態の線発光ＬＥＤ照明装置１００では、図４（Ａ）に示すように、ＬＥＤ光源１（図１参照）の光軸１’と交線ＳＬとが概略一致せしめられているが、第２の実施形態の線発光ＬＥＤ照明装置１００では、代わりに、ＬＥＤ光源１（図１参照）の光軸１’と交線ＳＬとを一致させないことも可能である。第２の実施形態の線発光ＬＥＤ照明装置１００においても、交線ＳＬ上またはその近傍にＬＥＤ光源１の発光中心１ａを配置することによって、第１の実施形態の線発光ＬＥＤ照明装置１００と同様の明線（例えば明線ＢＬ１（図７（Ｄ）参照）、明線ＢＬ２（図１２（Ａ）参照）、明線ＢＬ３（図１２（Ｂ）参照）など）を導光レンズ３の出射部３ｂの出射面３ｂ２に形成することができる。
【０１０７】
第１の実施形態の線発光ＬＥＤ照明装置１００では、図４（Ｂ）に示すように、導光レンズ３の出射部３ｂの反射面３ｂ１のプリズムカット３ｂ１ａの断面形状が概略二等辺三角形形状に設定されているが、第３の実施形態の線発光ＬＥＤ照明装置１００では、代わりに、導光レンズ３の出射部３ｂの反射面３ｂ１のプリズムカット３ｂ１ａの断面形状を、例えば二等辺三角形を除く三角形形状、台形形状、半円形状などの任意の形状であって、明線（例えば明線ＢＬ１（図７（Ｄ）参照）、明線ＢＬ２（図１２（Ａ）参照）、明線ＢＬ３（図１２（Ｂ）参照）など）を導光レンズ３の出射部３ｂの出射面３ｂ２に形成可能な形状に設定することも可能である。
【０１０８】
第１の実施形態の線発光ＬＥＤ照明装置１００では、図３（Ｂ）に示すように、導光レンズ３の出射部３ｂの先端部３ｂ−１が、基端部３ｂ−２に対して図３（Ｂ）の時計回りにねじられているが、第４の実施形態の線発光ＬＥＤ照明装置１００では、代わりに、導光レンズ３の出射部３ｂの先端部３ｂ−１と基端部３ｂ−２との間にねじりが存在しないように、導光レンズ３の出射部３ｂを形成することも可能である。第４の実施形態の線発光ＬＥＤ照明装置１００によっても、第１の実施形態の線発光ＬＥＤ照明装置１００と同様の明線（例えば明線ＢＬ１（図７（Ｄ）参照）、明線ＢＬ２（図１２（Ａ）参照）、明線ＢＬ３（図１２（Ｂ）参照）など）を導光レンズ３の出射部３ｂの出射面３ｂ２に形成することができる。
【０１０９】
第５の実施形態では、上述した第１から第４の実施形態および変形例を適宜組み合わせることも可能である。
【産業上の利用可能性】
【０１１０】
本発明の線発光ＬＥＤ照明装置は、例えば車両用灯具、一般照明装置などのような観察者に発光状態を見せるための照明装置に適用可能である。
【符号の説明】
【０１１１】
１                      ＬＥＤ光源
１ａ                    発光中心
２                      基板
３                      導光レンズ
３ａ                    入射部
３ａ１，３ａ２          入射面
３ａ３                  反射面
３ｂ                    出射部
３ｂ１                  反射面
３ｂ１ａ                プリズムカット
３ｂ２                  出射面
３ｃ                    反射部
３ｃ１，３ｃ２          反射面
４                      ハウジング
１００                  線発光ＬＥＤ照明装置
Ｓ１，Ｓ２，Ｓ３，Ｓ４  平面
ＳＬ                    交線
【図１】
2012199035.tif 000003
【図２】
2012199035.tif 000004
【図３】
2012199035.tif 000005
【図４】
2012199035.tif 000006
【図５】
2012199035.tif 000007
【図６】
2012199035.tif 000008
【図７】
2012199035.tif 000009
【図８】
2012199035.tif 000010
【図９】
2012199035.tif 000011
【図１０】
2012199035.tif 000012
【図１１】
2012199035.tif 000013
【図１２】
2012199035.tif 000014
【図１３】
2012199035.tif 000015
【図１４】
2012199035.tif 000016
【図１５】
2012199035.tif 000017